(57)【要約】本願の実施形態は情報伝送方法および装置を提供する。方法は：ユーザー装置によって、基地局からのシステム情報を受信する段階であって、前記システム情報は、固定下りリンクの時間‐周波数資源および固定上りリンクの時間‐周波数資源を示すために使われる第一の構成情報を含む、段階と、前記第一の構成情報に基づいて、前記ユーザー装置によって、前記固定下りリンクの時間‐周波数資源で情報を取得するまたは前記固定上りリンクの時間‐周波数資源で搬送されるよう情報を構成する段階とを含む。基地局は、固定した上りリンクおよび下りリンクの時間‐周波数資源を、前記システム情報における前記第一の構成情報を使うことによって示すが、単位時間‐周波数資源の特定の型は示さない。その後、基地局は、情報伝送プロセスにおいて、各単位時間‐周波数資源の型を動的に構成してもよい。基地局は、サービス状態に基づいて上りリンク‐下りリンクの時間‐周波数資源の比を動的に構成してもよく、上りリンク‐下りリンク時間‐周波数資源の比を構成するためにシステム情報を使う必要がない。これは、ユーザー装置の比較的低いアクセス遅延を保証し、時間‐周波数資源伝送型の迅速な構成を実装し、サービス品質を改善する。
2019531039.tif 000002
【特許請求の範囲】
【請求項１】
情報伝送方法であって：
ユーザー装置によって、基地局からのシステム情報を受信する段階であって、前記システム情報は、固定下りリンクの時間‐周波数資源および固定上りリンクの時間‐周波数資源を示すために使われる第一の構成情報を含む、段階と；
前記ユーザー装置によって、前記第一の構成情報に従って、前記固定下りリンクの時間‐周波数資源で情報を取得する、または、前記ユーザー装置によって、前記第一の構成情報に従って、前記固定上りリンクの時間‐周波数資源で搬送されるよう情報を構成する段階とを含む、
方法。
【請求項２】
前記第一の構成情報がさらに、各単位時間‐周波数資源の型が限定されないことを示すために使われ、前記単位時間‐周波数資源は固定数の直交周波数分割多重OFDMシンボルを含み、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、請求項１記載の方法。
【請求項３】
当該方法がさらに：
前記ユーザー装置によって、前記固定上りリンクの時間‐周波数資源に基づいて情報を前記基地局に送る段階；および／または
前記ユーザー装置によって、前記基地局からの情報を、前記固定下りリンクの時間‐周波数資源に基づいて受信する段階を含む、
請求項１または２記載の方法。
【請求項４】
当該方法が：
前記ユーザー装置によって、前記固定下りリンクの時間‐周波数資源で前記基地局からの下りリンク制御情報を受信する段階であって、前記下りリンク制御情報は、少なくとも一つの単位時間‐周波数資源の型を示すために使われる、段階と；
前記ユーザー装置によって、前記下りリンク制御情報に基づいて各単位時間‐周波数資源の前記型を決定する段階とをさらに含み、
前記単位時間‐周波数資源は固定数のOFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、
請求項１ないし３のうちいずれか一項記載の方法。
【請求項５】
前記固定下りリンクの時間‐周波数資源は、時間領域において単位時間‐周波数資源の開始位置から始まる少なくとも一つのOFDMシンボルであり、前記固定上りリンクの時間‐周波数資源は、時間領域において単位時間‐周波数資源の終了位置で終わる少なくとも一つのOFDMシンボルである、請求項１ないし４のうちいずれか一項記載の方法。
【請求項６】
当該方法がさらに：
前記ユーザー装置によって、前記基地局から、第二の構成情報を含むシステム情報を受信する段階であって、前記第二の構成情報は、各単位時間‐周波数資源の型を示すために使われ、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、
請求項１ないし５のうちいずれか一項記載の方法。
【請求項７】
前記ユーザー装置によって、前記基地局から、第二の構成情報を含むシステム情報を受信する前記段階の前に、当該方法がさらに：
前記ユーザー装置によって、チャネル状態測定レポートを前記基地局に送る段階を含み、前記チャネル状態測定レポートは下りリンク信号の信号対雑音比を含む、
請求項６記載の方法。
【請求項８】
情報伝送方法であって：
基地局によって、システム情報を取得する段階であって、前記システム情報は、固定下りリンクの時間‐周波数資源および固定上りリンクの時間‐周波数資源を示すために使われる第一の構成情報を含む、段階と；
前記第一の構成情報に基づいてユーザー装置が、前記固定下りリンクの時間‐周波数資源で情報を取得するまたは前記固定上りリンクの時間‐周波数資源で搬送されるよう情報を構成するよう、前記基地局によって、前記システム情報をユーザー装置に送る段階とを含む、
方法。
【請求項９】
前記第一の構成情報がさらに、各単位時間‐周波数資源の型が限定されないことを示すために使われ、前記単位時間‐周波数資源は固定数の直交周波数分割多重OFDMシンボルを含み、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、請求項８記載の方法。
【請求項１０】
当該方法がさらに：
前記基地局によって、前記固定上りリンクの時間‐周波数資源で前記ユーザー装置からの情報を受信する段階；および／または
前記基地局によって、前記固定下りリンクの時間‐周波数資源で前記ユーザー装置に情報を送る段階を含む、
請求項８または９記載の方法。
【請求項１１】
当該方法がさらに：
前記基地局によって、前記固定下りリンクの時間‐周波数資源で前記ユーザー装置に下りリンク制御情報を送って、前記ユーザー装置が前記下りリンク制御情報に基づいて少なくとも一つの単位時間‐周波数資源の型を決定するようにする段階を含み、前記下りリンク制御情報は前記少なくとも一つの単位時間‐周波数資源の前記型を示すために使われ、前記単位時間‐周波数資源は固定数のOFDMシンボルを含み、前記単位時間‐周波数資源の型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、
請求項８ないし１０のうちいずれか一項記載の方法。
【請求項１２】
前記固定下りリンクの時間‐周波数資源は、時間領域において単位時間‐周波数資源の開始位置から始まる少なくとも一つのOFDMシンボルであり、前記固定上りリンクの時間‐周波数資源は、時間領域において単位時間‐周波数資源の終了位置で終わる少なくとも一つのOFDMシンボルである、請求項８ないし１１のうちいずれか一項記載の方法。
【請求項１３】
当該方法がさらに：
前記基地局によって、干渉強度を取得する段階であって、前記干渉強度は、前記基地局の上りリンクまたは下りリンク伝送への近傍セル信号の干渉の度合いを示すために使われる、段階と；
前記干渉強度が、事前設定された干渉強度閾値より大きいときは、前記基地局によって、第二の構成情報を含むシステム情報を前記ユーザー装置に送る段階とを含み、前記第二の構成情報は、各単位時間‐周波数資源の型を示すために使われ、前記単位時間‐周波数資源の前記型は：前記上りリンク情報を送るために使われる前記単位時間‐周波数資源、前記下りリンク情報を受信するために使われる前記単位時間‐周波数資源または前記上りリンク情報を送り前記下りリンク情報を受信するために使われる前記単位時間‐周波数資源を含む、
請求項８ないし１２のうちいずれか一項記載の方法。
【請求項１４】
前記基地局によって、干渉強度を取得する前記段階は：
前記基地局によって、あらかじめ定義された時間‐周波数資源位置において、近傍セルの干渉信号強度を測定し、該強度を前記干渉強度として使うこと；または
前記基地局によって、前記ユーザー装置からのチャネル状態測定レポートを受信することであって、前記チャネル状態測定レポートは下りリンク信号の信号対雑音比を含む、こと；および前記基地局によって、前記下りリンク信号の前記信号対雑音比に基づいて前記干渉強度を取得すること；または
前記基地局によって、前記ユーザー装置からのチャネル探測参照信号を受信し、前記チャネル探測参照信号に基づいて上りリンク伝送チャネル品質を測定して前記干渉強度を取得することを含む、
請求項１３記載の方法。
【請求項１５】
情報伝送方法であって：
ユーザー装置によって、基地局からのシステム情報を受信する段階であって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、段階と；
前記ユーザー装置によって、前記第二の構成情報に基づいて前記基地局と情報を交換する段階とを含む、
方法。
【請求項１６】
当該方法がさらに：
前記ユーザー装置によって、前記基地局からの、第一の構成情報を含むシステム情報を受信する段階であって、前記第一の構成情報は、固定下りリンクの時間‐周波数資源および固定上りリンクの時間‐周波数資源を示すために使われる、段階と；
前記第一の構成情報に基づいて、前記ユーザー装置によって、前記固定下りリンクの時間‐周波数資源で情報を取得するまたは前記固定上りリンクの時間‐周波数資源で搬送されるよう情報を構成する段階とを含む、
請求項１５記載の方法。
【請求項１７】
前記ユーザー装置によって、前記基地局からの、第一の構成情報を含むシステム情報を受信する前記段階の前に、当該方法がさらに：
前記ユーザー装置によって、チャネル状態測定レポートを前記基地局に送る段階を含み、前記チャネル状態測定レポートは下りリンク信号の信号対雑音比を含む、
請求項１６記載の方法。
【請求項１８】
情報伝送方法であって：
基地局によって、ユーザー装置にシステム情報を送る段階であって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、段階と；
前記基地局によって、前記第二の構成情報に基づいて前記ユーザー装置と情報を交換する段階とを含む、
方法。
【請求項１９】
当該方法がさらに：
前記基地局によって、干渉強度を取得する段階であって、前記干渉強度は、前記基地局の上りリンクまたは下りリンク伝送への近傍セル信号の干渉の度合いを示すために使われる、段階と；
前記干渉強度が、事前設定された干渉強度閾値より小さいときは、前記基地局によって、第一の構成情報を含むシステム情報を前記ユーザー装置に送る段階とを含み、前記第一の構成情報は、固定下りリンクの時間‐周波数資源および固定上りリンクの時間‐周波数資源を示すために使われる、
請求項１８記載の方法。
【請求項２０】
前記基地局によって、干渉強度を取得する前記段階は：
前記基地局によって、あらかじめ定義された時間‐周波数資源位置において、近傍セルの干渉信号強度を測定し、該強度を前記干渉強度として使うこと；または
前記基地局によって、前記ユーザー装置からのチャネル状態測定レポートを受信することであって、前記チャネル状態測定レポートは下りリンク伝送の信号対雑音比を含む、こと；および
前記基地局によって、前記下りリンク伝送の信号対雑音比に基づいて前記干渉強度を取得すること；または
前記基地局によって、前記ユーザー装置からのチャネル探測参照信号を受信し、前記チャネル探測参照信号に基づいて上りリンク伝送チャネル品質を測定して前記干渉強度を取得することを含む、
請求項１９記載の方法。
【請求項２１】
情報伝送装置であって：
基地局からのシステム情報を受信するよう構成された受信モジュールであって、前記システム情報は、固定下りリンクの時間‐周波数資源および固定上りリンクの時間‐周波数資源を示すために使われる第一の構成情報を含む、受信モジュールと；
前記第一の構成情報に基づいて、前記固定下りリンクの時間‐周波数資源で情報を取得するまたは前記固定上りリンクの時間‐周波数資源で搬送されるよう情報を構成するよう構成された処理モジュールとを有する、
装置。
【請求項２２】
前記受信モジュールによって受信される前記第一の構成情報はさらに、各単位時間‐周波数資源の型が限定されないことを示すために使われ、前記単位時間‐周波数資源は固定数の直交周波数分割多重OFDMシンボルを含み、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、
請求項２１記載の装置。
【請求項２３】
当該装置がさらに送信モジュールを有し、
前記送信モジュールが、前記固定上りリンクの時間‐周波数資源に基づいて情報を前記基地局に送るよう構成される；および／または
前記受信モジュールが、前記基地局からの情報を、前記固定下りリンクの時間‐周波数資源に基づいて、受信するようさらに構成される、
請求項２１または２２記載の装置。
【請求項２４】
前記受信モジュールがさらに、前記固定下りリンクの時間‐周波数資源で前記基地局からの下りリンク制御情報を受信するよう構成され、前記下りリンク制御情報は、少なくとも一つの単位時間‐周波数資源の型を示すために使われ；
前記処理モジュールはさらに、前記下りリンク制御情報に基づいて各単位時間‐周波数資源の前記型を決定するよう構成され、
前記単位時間‐周波数資源は固定数のOFDMシンボルを含み、前記単位時間‐周波数資源の前記型は：前記上りリンク情報を送るために使われる前記単位時間‐周波数資源、前記下りリンク情報を受信するために使われる前記単位時間‐周波数資源または前記上りリンク情報を送り前記下りリンク情報を受信するために使われる前記単位時間‐周波数資源を含む、
請求項２１ないし２３のうちいずれか一項記載の装置。
【請求項２５】
前記受信モジュールによって受信される前記第一の構成情報によって示される前記固定下りリンクの時間‐周波数資源は、時間領域において単位時間‐周波数資源の開始位置から始まる少なくとも一つのOFDMシンボルであり、前記固定上りリンクの時間‐周波数資源は、時間領域において単位時間‐周波数資源の終了位置で終わる少なくとも一つのOFDMシンボルである、請求項２１ないし２４のうちいずれか一項記載の装置。
【請求項２６】
前記受信モジュールがさらに、前記基地局からの、第二の構成情報を含むシステム情報を受信するよう構成され、前記第二の構成情報は、各単位時間‐周波数資源の型を示すために使われ、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、請求項２３記載の装置。
【請求項２７】
前記送信モジュールがさらに、チャネル状態測定レポートを前記基地局に送るよう構成され、前記チャネル状態測定レポートは下りリンク信号の信号対雑音比を含む、請求項２６記載の装置。
【請求項２８】
情報伝送装置であって：
システム情報を取得するよう構成された処理モジュールであって、前記システム情報は、固定下りリンクの時間‐周波数資源および固定上りリンクの時間‐周波数資源を示すために使われる第一の構成情報を含む、処理モジュールと；
前記第一の構成情報に基づいて、ユーザー装置が、前記固定下りリンクの時間‐周波数資源で情報を取得するまたは前記固定上りリンクの時間‐周波数資源で搬送されるよう情報を構成するよう、前記システム情報を前記ユーザー装置に送るよう構成された送信モジュールとを有する、
装置。
【請求項２９】
前記処理モジュールによって取得される前記第一の構成情報がさらに、各単位時間‐周波数資源の型が限定されないことを示すために使われ、前記単位時間‐周波数資源は固定数の直交周波数分割多重OFDMシンボルを含み、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、請求項２８記載の装置。
【請求項３０】
当該装置がさらに受信モジュールを有し、
前記受信モジュールが、前記固定上りリンクの時間‐周波数資源で前記ユーザー装置からの情報を受信するよう構成される；および／または
前記送信モジュールがさらに、前記固定下りリンクの時間‐周波数資源で前記ユーザー装置に情報を送るよう構成される、
請求項２８または２９記載の装置。
【請求項３１】
前記送信モジュールがさらに、前記固定下りリンクの時間‐周波数資源で前記ユーザー装置に下りリンク制御情報を送って、それにより、前記ユーザー装置が前記下りリンク制御情報に基づいて少なくとも一つの単位時間‐周波数資源の型を決定するようにするよう構成され、前記下りリンク制御情報は前記少なくとも一つの単位時間‐周波数資源の前記型を示すために使われ、前記単位時間‐周波数資源は前記固定数のOFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、請求項２８ないし３０のうちいずれか一項記載の装置。
【請求項３２】
前記送信モジュールからの前記固定下りリンクの時間‐周波数資源は、時間領域において単位時間‐周波数資源の開始位置から始まる少なくとも一つのOFDMシンボルであり、前記固定上りリンクの時間‐周波数資源は、時間領域において単位時間‐周波数資源の終了位置で終わる少なくとも一つのOFDMシンボルである、請求項２８ないし３１のうちいずれか一項記載の装置。
【請求項３３】
前記処理モジュールがさらに、干渉強度を取得するよう構成され、前記干渉強度は、基地局の上りリンクまたは下りリンク伝送への近傍セル信号の干渉の度合いを示すために使われ；
前記処理モジュールが前記干渉強度が、事前設定された干渉強度閾値より大きいことを判別するとき、前記送信モジュールはさらに、第二の構成情報を含むシステム情報を前記ユーザー装置に送るよう構成され、前記第二の構成情報は、各単位時間‐周波数資源の型を示すために使われ、前記単位時間‐周波数資源の前記型は：前記上りリンク情報を送るために使われる前記単位時間‐周波数資源、前記下りリンク情報を受信するために使われる前記単位時間‐周波数資源または前記上りリンク情報を送り前記下りリンク情報を受信するために使われる前記単位時間‐周波数資源を含む、
請求項３０記載の装置。
【請求項３４】
前記処理モジュールが具体的に：あらかじめ定義された時間‐周波数資源位置において、近傍セルの干渉信号強度を測定し、該強度を前記干渉強度として使うよう構成される；または
前記受信モジュールがさらに、前記ユーザー装置からのチャネル状態測定レポートを受信するよう構成され、前記チャネル状態測定レポートは下りリンク信号の信号対雑音比を含み、前記処理モジュールがさらに、前記下りリンク信号の前記信号対雑音比に基づいて前記干渉強度を取得するよう構成される；または
前記受信モジュールがさらに：前記ユーザー装置からのチャネル探測参照信号を受信し、前記チャネル探測参照信号に基づいて上りリンク伝送チャネル品質を測定して前記干渉強度を取得するよう構成される、
請求項３３記載の装置。
【請求項３５】
情報伝送装置であって：
基地局からのシステム情報を受信するよう構成された受信モジュールであって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、受信モジュールと；
前記第二の構成情報に基づいて前記基地局と情報を交換するよう当該情報伝送装置を制御するよう構成された処理モジュールとを含む、
装置。
【請求項３６】
前記受信モジュールがさらに、前記基地局からの、第一の構成情報を含むシステム情報を受信するよう構成され、前記第一の構成情報は、固定下りリンクの時間‐周波数資源および固定上りリンクの時間‐周波数資源を示すために使われ；
前記処理モジュールはさらに、前記第一の構成情報に基づいて、前記固定下りリンクの時間‐周波数資源で情報を取得するまたは前記固定上りリンクの時間‐周波数資源で搬送されるよう情報を構成するよう構成される、
請求項３５記載の装置。
【請求項３７】
当該装置がさらに、チャネル状態測定レポートを前記基地局に送るよう構成された送信モジュールを有し、前記チャネル状態測定レポートは下りリンク信号の信号対雑音比を含む、請求項３６記載の装置。
【請求項３８】
情報伝送装置であって：
ユーザー装置にシステム情報を送るよう構成された送信モジュールであって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、送信モジュールと；
前記第二の構成情報に基づいて前記ユーザー装置と情報を交換するよう当該情報伝送装置を制御するよう構成された処理モジュールとを有する、
装置。
【請求項３９】
前記処理モジュールがさらに、干渉強度を取得するよう構成され、前記干渉強度は、基地局の上りリンクまたは下りリンク伝送への近傍セル信号の干渉の度合いを示すために使われ；
前記処理モジュールが、前記干渉強度が、事前設定された干渉強度閾値より小さいことを判別するとき、前記送信モジュールはさらに、第一の構成情報を含むシステム情報を前記ユーザー装置に送るよう構成され、前記第一の構成情報は、固定下りリンクの時間‐周波数資源および固定上りリンクの時間‐周波数資源を示すために使われる、
請求項３８記載の装置。
【請求項４０】
当該装置がさらに受信モジュールを有し、
前記処理モジュールがさらに：あらかじめ定義された時間‐周波数資源位置において、近傍セルの干渉信号強度を測定し、該強度を前記干渉強度として使うよう構成される；または
前記受信モジュールが、前記ユーザー装置からのチャネル状態測定レポートを受信するよう構成され、前記チャネル状態測定レポートは下りリンク伝送の信号対雑音比を含み、前記処理モジュールがさらに、前記下りリンク伝送の信号対雑音比に基づいて前記干渉強度を取得するよう構成される；または
前記受信モジュールが：前記ユーザー装置からのチャネル探測参照信号を受信し、前記チャネル探測参照信号に基づいて上りリンク伝送チャネル品質を測定して前記干渉強度を取得するよう構成される、
請求項３９記載の装置。
【請求項４１】
可読な記憶媒体およびコンピュータ・プログラムを含む記憶媒体であって、前記コンピュータ・プログラムは請求項１ないし７のうちいずれか一項記載の当該情報伝送方法のために使われる、記憶媒体。
【請求項４２】
可読な記憶媒体およびコンピュータ・プログラムを含む記憶媒体であって、前記コンピュータ・プログラムは請求項８ないし１４のうちいずれか一項記載の当該情報伝送方法のために使われる、記憶媒体。
【請求項４３】
可読な記憶媒体およびコンピュータ・プログラムを含む記憶媒体であって、前記コンピュータ・プログラムは請求項１５ないし１７のうちいずれか一項記載の当該情報伝送方法のために使われる、記憶媒体。
【請求項４４】
可読な記憶媒体およびコンピュータ・プログラムを含む記憶媒体であって、前記コンピュータ・プログラムは請求項１８ないし２０のうちいずれか一項記載の当該情報伝送方法のために使われる、記憶媒体。
【発明の詳細な説明】
【技術分野】
【０００１】
関連出願への相互参照
本願は、2016年9月28日に中国特許庁に出願された、「情報伝送方法および装置」と題する中国特許出願第201610860638.1号の優先権を主張するものである。同出願はここに参照によってその全体において組み込まれる。
【０００２】
技術分野
本願の実施形態はインターネット技術に関し、詳細には情報伝送方法および装置に関する。
【背景技術】
【０００３】
第三世代パートナーシッププロジェクト（英文：3rd  Generation  Partnership  Project、略3GPP）によって定式化されたロングタームエボリューション（英文：Long  Term  Evolution、略LTE）システム規格は、第四世代の無線アクセス・システム規格と考えられる。第四世代の無線アクセス・システム規格は時分割複信（英文：Time  Division  Duplex、略TDD）アクセス様式を含む。第五世代の無線アクセス・システムもTDDアクセス様式をサポートし続ける。
【０００４】
たとえば、LTEシステムにおいて、TDDアクセス様式のために三つのサブフレーム型が定義されている：下りリンク・サブフレーム、上りリンク・サブフレームおよび特別なサブフレームである。無線フレームについて、サブフレーム構成様式は、規格において、これら三つのサブフレーム型に基づいて規定されている。10個のサブフレームを含む無線フレームが例として使われる。表１に示されるように、全部で七つの可能なサブフレーム組み合わせ型が含まれる。
【表１】
2019531039.tif 000003
【０００５】
表１において、Dは完全な下りリンク・サブフレームを表わし、Uは完全な上りリンク・サブフレームを表わし、Sは特別なサブフレームを表わす。表１から、各無線フレームにおいて、サブフレーム0およびサブフレーム5は下りリンク・サブフレームとして定義されていて、上りリンク／下りリンク構成型とともに変わらないことがわかる。ユーザー装置は、該情報に基づいて、サブフレーム0およびサブフレーム5全体における資源がすべて下りリンク伝送資源であることを判別しうる。よって、ユーザー装置は好ましくは、何らかのシステム情報を得る前にこれら二つのサブフレームにおいて制御チャネルを検出し、システムにアクセスするために基本的なシステム情報を取得する。サブフレーム5においてシステム情報を取得した後、ユーザー装置は無線フレーム全体の時間‐周波数資源構成様式を判別し、ユーザー装置はさらに、該構成様式に基づいて、下りリンク参照信号が検出され、上りリンク・トリガー信号が送られる特定の資源位置を判別しうる。次いで、ユーザー装置は、上りリンク資源位置において対応する信号を送るまたは下りリンク資源位置において対応する信号を検出して、効率的にシステムにアクセスしうる。
【０００６】
ユーザー装置は、上記のTDDアクセス様式で上りリンク／下りリンク資源構成型を使うことによってシステムにアクセスできる。しかしながら、表１に示される上りリンク／下りリンク資源構成型はあらかじめ定義されている。その結果、上りリンク‐下りリンク・サービス比が前記あらかじめ定義された上りリンク／下りリンク資源構成型にマッチしないときは、時間‐周波数資源の無駄がある。たとえば、下りリンク・サービスがほとんどないが多数の上りリンク・サービスがあるときに表１における構成2の様式が使われる。換言すれば、上りリンク時間‐周波数資源が下りリンク時間‐周波数資源より少ないとき、リザーブされている下りリンク時間‐周波数資源でサービスが搬送されない。その代わり、多くのサービスが少数のリザーブされている上りリンク時間‐周波数資源で搬送される。この場合、上りリンク‐下りリンク資源構成比を変更するよう、すなわちサブフレーム構成型を変更するよう命令するためにシステム情報が使われれば、応答時間が過度に長くなる。その結果、動的な資源変更がサービス変化にマッチするのが間に合わず、結果的に上りリンク・サービス遅延が増大し、サービス品質が低下する。
【発明の概要】
【０００７】
本願の実施形態は、次の問題を解決するための情報伝送方法および装置を提供する：上記のTDDアクセス様式が使われるとき、上りリンク‐下りリンク資源構成比を変更するよう、すなわちサブフレーム構成型を変更するよう命令するためにシステム情報が使われれば、応答時間が過度に長くなり、その結果、動的な資源変更がサービス変化にマッチするのが間に合わず、結果的に上りリンク・サービス遅延が増大し、サービス品質が低下する。
【０００８】
本願の第一の側面は、情報伝送方法であって：
ユーザー装置によって、基地局によって送られたシステム情報を受信する段階であって、前記システム情報は、固定下りリンクの時間‐周波数資源および固定上りリンクの時間‐周波数資源を示すために使われる第一の構成情報を含む、段階と；
前記第一の構成情報に基づいて、前記ユーザー装置によって、前記固定下りリンクの時間‐周波数資源で情報を取得するまたは前記固定上りリンクの時間‐周波数資源で搬送されるよう情報を構成する段階とを含む、
方法を提供する。
【０００９】
この解決策では、固定上りリンクの時間‐周波数資源または固定下りリンクの時間‐周波数資源は、単位時間‐周波数資源の一つまたはいくつかのOFDMシンボルである。固定上りリンクの時間‐周波数資源または固定下りリンクの時間‐周波数資源のOFDMシンボルの数は、単位時間‐周波数資源のOFDMシンボルの数より少なく、単位時間‐周波数資源のOFDMシンボルの数は固定である。単位時間‐周波数資源は、一つまたは複数の最小のスケジューリング単位であってもよく、特定的に限定はされない。この解決策では、各単位時間‐周波数資源の伝送型は限定されない。
【００１０】
基地局は、固定した上りリンクおよび下りリンクの時間‐周波数資源を、前記システム情報における前記第一の構成情報を使うことによって示すが、単位時間‐周波数資源の特定の型は示さない。基地局は、その後の情報伝送プロセスにおいて、各単位時間‐周波数資源の型を動的に構成してもよい。換言すれば、最小単位上りリンク／下りリンク時間‐周波数資源の動的な変更をサポートしてもよい。これは、上りリンク‐下りリンク・サービス比があらかじめ定義された上りリンク／下りリンク資源構成型にマッチしないときの時間‐周波数資源の無駄を回避する。さらに、基地局は上りリンク‐下りリンク資源構成比をあらかじめ定義せず、その後、サービス状態に基づいて上りリンク‐下りリンクの時間‐周波数資源の比を動的に構成しうる。これは、ユーザー装置の比較的低いアクセス遅延を保証し、時間‐周波数資源を動的に迅速に変更し、サービス品質を改善する。
【００１１】
具体的には、前記第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００１２】
この解決策では、前記第一の構成情報は、単位時間‐周波数資源の前記一つまたはいくつかのOFDMシンボルの伝送方向のみを示し、各単位時間‐周波数資源の型は限定されないことを示す；単位時間‐周波数資源の型は、その後の伝送プロセスにおいて下りリンク制御情報に基づいて具体的に示されてもよい。
【００１３】
基地局によって送られ、第一の構成情報を含むシステム情報を受信した後、本方法はさらに：
前記ユーザー装置によって、前記固定上りリンクの時間‐周波数資源に基づいて情報を前記基地局に送る段階；および／または
前記ユーザー装置によって、前記基地局によって送られた情報を、前記固定下りリンクの時間‐周波数資源に基づいて受信する段階を含む。
【００１４】
任意的に、本方法はさらに：
前記ユーザー装置によって、前記固定下りリンクの時間‐周波数資源で前記基地局によって送られた下りリンク制御情報を受信する段階であって、前記下りリンク制御情報は、少なくとも一つの単位時間‐周波数資源の型を示すために使われる、段階と；
前記ユーザー装置によって、前記下りリンク制御情報に基づいて各単位時間‐周波数資源の型を決定する段階とを含み、
前記単位時間‐周波数資源は固定数のOFDMシンボルを含み、単位時間‐周波数資源の型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００１５】
たとえば、サブフレームが単位時間‐周波数資源である。ここでの単位時間‐周波数資源の型は：上りリンク・サブフレーム、すなわち、上りリンク情報を送るために使われる単位時間‐周波数資源；下りリンク・サブフレーム、すなわち、下りリンク情報を受信するために使われる単位時間‐周波数資源；および主な上りリンク・サブフレームまたは主な下りリンク・サブフレーム、すなわち、上りリンク情報を送ることおよび下りリンク情報を受信することのために使われる単位時間‐周波数資源を含む。
【００１６】
上記の解決策のいずれか一つに基づいて、固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。たとえば、固定上りリンクの時間‐周波数資源はサブフレームの最後の一つまたは二つのOFDMシンボルであり、固定下りリンクの時間‐周波数資源はサブフレームの最初の一つまたは二つのOFDMシンボルである。
【００１７】
上記の解決策のいずれかに基づいて、本方法はさらに：
前記ユーザー装置によって、基地局によって送られた、第二の構成情報を含むシステム情報を受信する段階であって、前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００１８】
前記ユーザー装置によって、基地局によって送られた、第二の構成情報を含むシステム情報を受信する前記段階の前に、本方法はさらに：
前記ユーザー装置によって、チャネル状態測定レポートを前記基地局に送ることを含み、前記チャネル状態測定レポートは下りリンク信号の信号対雑音比を含む。
【００１９】
上記の解決策の意味は、基地局が固定上りリンクの時間‐周波数資源および固定下りリンクの時間‐周波数資源を、前記システム情報を使うことによって示し、その後、動的指示様式で、各単位時間‐周波数資源の型を決定するということである。
【００２０】
基地局は、前記信号対雑音比に基づいてリアルタイムで干渉強度を取得し、信号伝送プロセスにおける該干渉強度に基づいて、動的TDD様式を使い続けるかどうかを決定してもよい。干渉が比較的に強い場合、基地局は、各単位時間‐周波数資源の型を直接示すために前記第二の構成情報を含む前記システム情報をさらに送ってもよい。動的なTDDシステムと半持続的なTDDシステムとの間で柔軟な切り換えが実行されることができる。システム負荷が比較的高いまたは干渉が比較的強いときは、半持続的なTDDシステムが使用される。これは事実上、システム・パフォーマンスを保証する。
【００２１】
本願の第二の側面は、情報伝送方法であって：
基地局によって、システム情報を取得する段階であって、前記システム情報は、固定下りリンクの時間‐周波数資源および固定上りリンクの時間‐周波数資源を示すために使われる第一の構成情報を含む、段階と；
前記第一の構成情報に基づいて、ユーザー装置が、前記固定下りリンクの時間‐周波数資源で情報を取得するまたは前記固定上りリンクの時間‐周波数資源で搬送されるよう情報を構成するよう、前記基地局によって、前記システム情報をユーザー装置に送る段階とを含む、
方法を提供する。
【００２２】
第一の側面において提供された解決策と同様に、固定上りリンクの時間‐周波数資源または固定下りリンクの時間‐周波数資源は、単位時間‐周波数資源の一つまたはいくつかのOFDMシンボルである。固定上りリンクの時間‐周波数資源または固定下りリンクの時間‐周波数資源のOFDMシンボルの数は、単位時間‐周波数資源のOFDMシンボルの数より少ない。
【００２３】
具体的には、前記第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００２４】
この解決策では、前記第一の構成情報は、単位時間‐周波数資源の前記一つまたはいくつかのOFDMシンボルの伝送方向のみを示し、各単位時間‐周波数資源の型は限定されないことを示す；基地局は、単位時間‐周波数資源の型を、その後の伝送プロセスにおいて下りリンク制御情報を使うことによって具体的に示す。
【００２５】
さらに本方法は：
前記基地局によって、前記固定上りリンクの時間‐周波数資源で前記ユーザー装置によって送られた情報を受信する段階；および／または
前記基地局によって、前記固定下りリンクの時間‐周波数資源で前記ユーザー装置に情報を送る段階をさらに含む。
【００２６】
上記の解決策のいずれかに基づいて、本方法はさらに：
前記基地局によって、前記固定下りリンクの時間‐周波数資源で前記ユーザー装置に下りリンク制御情報を送って、前記ユーザー装置が前記下りリンク制御情報に基づいて少なくとも一つの単位時間‐周波数資源の型を決定するようにする段階を含み、前記下りリンク制御情報は前記少なくとも一つの単位時間‐周波数資源の型を示すために使われ、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００２７】
ある具体的実装では、固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【００２８】
さらに、本方法はさらに：
前記基地局によって、干渉強度を取得する段階であって、前記干渉強度は、前記基地局の上りリンクまたは下りリンク伝送への近傍セル信号の干渉の度合いを示すために使われる、段階と；
前記干渉強度が、事前設定された干渉強度閾値より大きいときは、前記基地局によって、第二の構成情報を含むシステム情報を前記ユーザー装置に送る段階とを含み、前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００２９】
この解決策では、基地局は固定上りリンクの時間‐周波数資源および固定下りリンクの時間‐周波数資源を、前記システム情報を使うことによって示す。その後、動的指示様式で、各単位時間‐周波数資源の型を決定した後に、基地局は、信号対雑音比に基づいてリアルタイムで前記干渉強度を取得し、信号伝送プロセスにおける該干渉強度に基づいて、動的TDD様式を使い続けるかどうかを決定してもよい。干渉が比較的に強い場合、基地局は、前記第二の構成情報を含む前記システム情報をさらに送ることによって、各単位時間‐周波数資源の型を直接示してもよい。
【００３０】
任意的に、前記基地局によって、干渉強度を取得する段階は：
前記基地局によって、あらかじめ定義された時間‐周波数資源位置において、近傍セルの干渉信号強度を測定し、該強度を前記干渉強度として使うこと；または
前記基地局によって、前記ユーザー装置によって送られたチャネル状態測定レポートを受信することであって、前記チャネル状態測定レポートは下りリンク信号の信号対雑音比を含む、ことと；および
前記基地局によって、前記下りリンク信号の信号対雑音比に基づいて前記干渉強度を取得すること；または
前記基地局によって、前記ユーザー装置によって送られたチャネル探測参照信号を受信し、前記チャネル探測参照信号に基づいて上りリンク伝送チャネル品質を測定して前記干渉強度を取得することを含む。
【００３１】
本願の第三の側面は、情報伝送方法であって：
ユーザー装置によって、基地局によって送られたシステム情報を受信する段階であって、前記システム情報は、各単位時間‐周波数資源の型を示すために使われる第二の構成情報を含み、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、段階と；
前記ユーザー装置によって、前記第二の構成情報に基づいて前記基地局と情報を交換する段階とを含む、
方法を提供する。
【００３２】
この解決策では、ユーザー装置は基地局によって送られた、第二の構成情報を含むシステム情報を受信する。換言すれば、基地局は、システム情報を使うことによって各単位時間‐周波数資源の型を示す。固定した上りリンクおよび下りリンクの伝送資源がシンボルによって示される第一の側面における解決策と異なり、第二の構成情報は、各単位時間‐周波数資源の型を示す。具体的には、ユーザー装置は、第二の構成メッセージに基づいて各単位時間‐周波数資源の型を判別し、対応する資源で情報を伝送しうる。たとえば、ユーザー装置は前記上りリンク時間‐周波数資源で上りリンク情報および／または上りリンク信号を送る、あるいはユーザー装置は前記下りリンク時間‐周波数資源で下りリンク情報および／または下りリンク信号を受信する。
【００３３】
上記の解決策に基づき、本方法は：
前記ユーザー装置によって、前記基地局によって送られた、第一の構成情報を含むシステム情報を受信する段階であって、前記第一の構成情報は、固定下りリンクの時間‐周波数資源および固定上りリンクの時間‐周波数資源を示すために使われる、段階と；
前記第一の構成情報に基づいて、前記ユーザー装置によって、前記固定下りリンクの時間‐周波数資源で搬送される情報を取得するまたは前記固定上りリンクの時間‐周波数資源で搬送されるよう情報を構成する段階とをさらに含む。
【００３４】
任意的に、前記ユーザー装置によって、前記基地局によって送られた、第一の構成情報を含むシステム情報を受信する前記段階の前に、本方法はさらに：
前記ユーザー装置によって、チャネル状態測定レポートを前記基地局に送ることを含み、前記チャネル状態測定レポートは下りリンク信号の信号対雑音比を含む。
【００３５】
前記第二の構成情報を使うことによって各単位時間‐周波数資源の型が直接示されることに基づいて、前記基地局は、リアルタイムで干渉強度を取得し、次いで、該干渉強度に基づいて、動的に型を決定する様式を使うかどうかを決定する。基地局が型を動的に決定する様式を使うと決定する場合、基地局はさらに、前記システム情報を使うことによって前記第一の構成情報を前記ユーザー装置に送って、固定上りリンクの時間‐周波数資源および固定下りリンクの時間‐周波数資源を示し、各単位時間‐周波数資源の型が限定されないことを示すとともに、その後、下りリンク制御情報を使うことによって各単位時間‐周波数資源の型を示してもよい。
【００３６】
本願の第四の側面は、情報伝送方法であって：
基地局によって、ユーザー装置にシステム情報を送る段階であって、前記システム情報は、各単位時間‐周波数資源の型を示すために使われる第二の構成情報を含み、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、段階と；
前記基地局によって、前記第二の構成情報に基づいて前記ユーザー装置と情報を交換する段階とを含む、
方法を提供する。
【００３７】
任意的に、本方法はさらに：
前記基地局によって、干渉強度を取得する段階であって、前記干渉強度は、前記基地局の上りリンクまたは下りリンク伝送への近傍セル信号の干渉の度合いを示すために使われる、段階と；
前記干渉強度が、事前設定された干渉強度閾値より小さいときは、前記基地局によって、第一の構成情報を含むシステム情報を前記ユーザー装置に送る段階とを含み、前記第一の構成情報は、固定下りリンクの時間‐周波数資源および固定上りリンクの時間‐周波数資源を示すために使われる。
【００３８】
任意的に、前記基地局によって、干渉強度を取得する段階は：
前記基地局によって、あらかじめ定義された時間‐周波数資源位置において、近傍セルの干渉信号強度を測定し、該強度を前記干渉強度として使うこと；または
前記基地局によって、前記ユーザー装置によって送られたチャネル状態測定レポートを受信することであって、前記チャネル状態測定レポートは下りリンク伝送の信号対雑音比を含む、ことと；および
前記基地局によって、前記下りリンク伝送の信号対雑音比に基づいて前記干渉強度を取得すること；または
前記基地局によって、前記ユーザー装置によって送られたチャネル探測参照信号を受信し、前記チャネル探測参照信号に基づいて上りリンク伝送チャネル品質を測定して前記干渉強度を取得することを含む。
【００３９】
本願の第五の側面は、情報伝送装置であって：
基地局によって送られたシステム情報を受信するよう構成された受信モジュールであって、前記システム情報は、固定下りリンクの時間‐周波数資源および固定上りリンクの時間‐周波数資源を示すために使われる第一の構成情報を含む、受信モジュールと；
前記第一の構成情報に基づいて、前記固定下りリンクの時間‐周波数資源で情報を取得するまたは前記固定上りリンクの時間‐周波数資源で搬送されるよう情報を構成するよう構成された処理モジュールとを含む、
装置を提供する。
【００４０】
任意的に、前記受信モジュールによって受信される前記第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００４１】
任意的に、本装置はさらに送信モジュールを含み、
前記送信モジュールが、前記固定上りリンクの時間‐周波数資源に基づいて情報を前記基地局に送るよう構成される；および／または
前記受信モジュールがさらに、前記基地局によって送られた情報を、前記固定下りリンクの時間‐周波数資源に基づいて、受信するよう構成される。
【００４２】
任意的に、前記受信モジュールはさらに、前記固定下りリンクの時間‐周波数資源で前記基地局によって送られた下りリンク制御情報を受信するよう構成され、前記下りリンク制御情報は、少なくとも一つの単位時間‐周波数資源の型を示すために使われ；
前記処理モジュールはさらに、前記下りリンク制御情報に基づいて各単位時間‐周波数資源の型を決定するよう構成される。
【００４３】
前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００４４】
任意的に、前記受信モジュールによって受信される前記第一の構成情報によって示される固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【００４５】
任意的に、前記受信モジュールはさらに、前記基地局によって送られた、第二の構成情報を含むシステム情報を受信するよう構成され、前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００４６】
任意的に、前記送信モジュールはさらに、チャネル状態測定レポートを前記基地局に送るよう構成され、前記チャネル状態測定レポートは下りリンク信号の信号対雑音比を含む。
【００４７】
この第五の側面において提供される情報伝送装置は具体的にはユーザー装置として実装されてもよく、前記受信モジュールは受信器として実装されてもよく、前記送信モジュールは送信器として実装されてもよく、前記処理モジュールはプロセッサとして実装されてもよく、前記ユーザー装置はプログラム・コードを記憶しうるメモリを含む。
【００４８】
本願の第六の側面は、情報伝送装置であって：
システム情報を取得するよう構成された処理モジュールであって、前記システム情報は、固定下りリンクの時間‐周波数資源および固定上りリンクの時間‐周波数資源を示すために使われる第一の構成情報を含む、処理モジュールと；
前記第一の構成情報に基づいて、ユーザー装置が、前記固定下りリンクの時間‐周波数資源で情報を取得するまたは前記固定上りリンクの時間‐周波数資源で搬送されるよう情報を構成するよう、前記システム情報をユーザー装置に送るよう構成された送信モジュールとを含む、
装置を提供する。
【００４９】
任意的に、前記処理モジュールによって取得される前記第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００５０】
任意的に、本装置はさらに受信モジュールを含み、
前記受信モジュールが、前記固定上りリンクの時間‐周波数資源で前記ユーザー装置によって送られた情報を受信するよう構成される；および／または
前記送信モジュールが、前記固定下りリンクの時間‐周波数資源で前記ユーザー装置に情報を送るようさらに構成される。
【００５１】
任意的に、前記送信モジュールは、前記固定下りリンクの時間‐周波数資源で前記ユーザー装置に下りリンク制御情報を送るようさらに構成され、それにより、前記ユーザー装置が前記下りリンク制御情報に基づいて少なくとも一つの単位時間‐周波数資源の型を決定する。前記下りリンク制御情報は前記少なくとも一つの単位時間‐周波数資源の型を示すために使われ、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００５２】
任意的に、固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【００５３】
任意的に、前記処理モジュールはさらに、干渉強度を取得するよう構成され、前記干渉強度は、基地局の上りリンクまたは下りリンク伝送への近傍セル信号の干渉の度合いを示すために使われ；
前記処理モジュールが前記干渉強度が、事前設定された干渉強度閾値より大きいことを判別するとき、前記送信モジュールはさらに、第二の構成情報を含むシステム情報を前記ユーザー装置に送るよう構成され、前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００５４】
任意的に、前記処理モジュールが具体的に：あらかじめ定義された時間‐周波数資源位置において、近傍セルの干渉信号強度を測定し、該強度を前記干渉強度として使うよう構成される；または
前記受信モジュールがさらに、前記ユーザー装置によって送られたチャネル状態測定レポートを受信するよう構成され、前記チャネル状態測定レポートは下りリンク信号の信号対雑音比を含み、前記処理モジュールがさらに、前記下りリンク信号の信号対雑音比に基づいて前記干渉強度を取得するよう構成される；または
前記受信モジュールがさらに：前記ユーザー装置によって送られたチャネル探測参照信号を受信し、前記チャネル探測参照信号に基づいて上りリンク伝送チャネル品質を測定して前記干渉強度を取得するよう構成される。
【００５５】
この第六の側面において提供される情報伝送装置は具体的には基地局として実装されてもよく、前記受信モジュールは受信器として実装されてもよく、前記送信モジュールは送信器として実装されてもよく、前記処理モジュールはプロセッサとして実装されてもよく、前記基地局はプログラム・コードを記憶しうるメモリを含む。
【００５６】
本願の第七の側面は、情報伝送装置であって：
基地局によって送られたシステム情報を受信するよう構成された受信モジュールであって、前記システム情報は、各単位時間‐周波数資源の型を示すために使われる第二の構成情報を含み、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、受信モジュールと；
前記第二の構成情報に基づいて前記基地局と情報を交換するよう当該情報伝送装置を制御するよう構成された処理モジュールとを含む、
装置を提供する。
【００５７】
任意的に、前記受信モジュールはさらに、前記基地局によって送られた、第一の構成情報を含むシステム情報を受信するよう構成され、前記第一の構成情報は、固定下りリンクの時間‐周波数資源および固定上りリンクの時間‐周波数資源を示すために使われ；
前記処理モジュールはさらに、前記第一の構成情報に基づいて、前記固定下りリンクの時間‐周波数資源で情報を取得するまたは前記固定上りリンクの時間‐周波数資源で搬送されるよう情報を構成するよう構成される。
【００５８】
任意的に、本装置はさらに、チャネル状態測定レポートを前記基地局に送るよう構成された送信モジュールを含み、前記チャネル状態測定レポートは下りリンク信号の信号対雑音比を含む。
【００５９】
この第七の側面において提供される情報伝送装置は具体的にはユーザー装置として実装されてもよく、前記受信モジュールは受信器として実装されてもよく、前記送信モジュールは送信器として実装されてもよく、前記処理モジュールはプロセッサとして実装されてもよく、前記ユーザー装置はプログラム・コードを記憶しうるメモリを含む。
【００６０】
本願の第八の側面は、情報伝送装置であって：
ユーザー装置にシステム情報を送るよう構成された送信モジュールであって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、送信モジュールと；
前記第二の構成情報に基づいて前記ユーザー装置と情報を交換するよう当該情報伝送装置を制御するよう構成された処理モジュールとを含む、
装置を提供する。
【００６１】
任意的に、前記処理モジュールはさらに、干渉強度を取得するよう構成され、前記干渉強度は、基地局の上りリンクまたは下りリンク伝送への近傍セル信号の干渉の度合いを示すために使われ；
前記処理モジュールが、前記干渉強度が、事前設定された干渉強度閾値より小さいことを判別するとき、前記送信モジュールがさらに、第一の構成情報を含むシステム情報を前記ユーザー装置に送るよう構成され、前記第一の構成情報は、固定下りリンクの時間‐周波数資源および固定上りリンクの時間‐周波数資源を示すために使われる。
【００６２】
任意的に、本装置はさらに受信モジュールを含み、
前記処理モジュールがさらに：あらかじめ定義された時間‐周波数資源位置において、近傍セルの干渉信号強度を測定し、該強度を前記干渉強度として使うよう構成される；または
前記受信モジュールが、前記ユーザー装置によって送られたチャネル状態測定レポートを受信するよう構成され、前記チャネル状態測定レポートは下りリンク伝送の信号対雑音比を含み、前記処理モジュールがさらに、前記下りリンク伝送の信号対雑音比に基づいて前記干渉強度を取得するよう構成される；または
前記受信モジュールが：前記ユーザー装置によって送られたチャネル探測参照信号を受信し、前記チャネル探測参照信号に基づいて上りリンク伝送チャネル品質を測定して前記干渉強度を取得するよう構成される。
【００６３】
この第八の側面において提供される情報伝送装置は具体的には基地局として実装されてもよく、前記受信モジュールは受信器として実装されてもよく、前記送信モジュールは送信器として実装されてもよく、前記処理モジュールはプロセッサとして実装されてもよく、前記基地局はプログラム・コードを記憶しうるメモリを含む。
【００６４】
ある具体的実装では、ユーザー装置または基地局はさらに、コンピュータ・プログラムおよびメモリを含んでいてもよい。コンピュータ・プログラムはメモリに記憶され、前記プロセッサはUEの上記の追跡処理方法を低電力モードで実行するよう前記コンピュータ・プログラムを実行する。前記メモリに記憶された、実行命令、つまり前記コンピュータ・プログラムを実行するよう構成された少なくとも一つのプロセッサがある。このようにして、前記ユーザー装置は、通信インターフェースを使うことによって前記基地局とデータを交換し、上記の諸側面の各実装において提供される情報伝送方法を実行する。任意的に、前記メモリはさらに、前記プロセッサに統合されてもよい。
【００６５】
本願の第九の側面は、可読な記憶媒体およびコンピュータ・プログラムを含む記憶媒体を提供し、前記コンピュータ・プログラムは前記第一の側面および前記第三の側面のいずれかにおいて提供される情報伝送方法を実装するために使われる。
【００６６】
本願の第十の側面は、可読な記憶媒体およびコンピュータ・プログラムを含む記憶媒体を提供し、前記コンピュータ・プログラムは前記第二の側面および前記第四の側面のいずれかにおいて提供される情報伝送方法を実装するために使われる。
【００６７】
本願の第十一の側面は、プログラム・プロダクトを提供し、前記プログラム・プロダクトはコンピュータ・プログラム（つまり、実行命令）を含み、前記コンピュータ・プログラムは可読な記憶媒体に記憶される。ユーザー装置の少なくとも一つのプロセッサが前記コンピュータ・プログラムを前記可読な記憶媒体から読んでもよく、前記少なくとも一つのプロセッサが前記コンピュータ・プログラムを実行し、それにより前記ユーザー装置が、前記第一の側面または前記第三の側面の各実装において提供される情報伝送方法を実装する。
【００６８】
本願の第十二の側面は、プログラム・プロダクトを提供し、前記プログラム・プロダクトはコンピュータ・プログラム（つまり、実行命令）を含み、前記コンピュータ・プログラムは可読な記憶媒体に記憶される。基地局の少なくとも一つのプロセッサが前記コンピュータ・プログラムを前記可読な記憶媒体から読んでもよく、前記少なくとも一つのプロセッサが前記コンピュータ・プログラムを実行し、それにより前記基地局が、前記第二の側面または前記第四の側面の各実装において提供される情報伝送方法を実装する。
【００６９】
本願において提供される情報伝送方法および装置によれば、基地局がシステム情報をユーザー装置に送り、前記システム情報は、固定下りリンクの時間‐周波数資源および固定上りリンクの時間‐周波数資源を示すために使われる第一の構成情報を含み、前記第一の構成情報に基づいて、ユーザー装置が、前記固定下りリンクの時間‐周波数資源で情報を取得するまたは前記固定上りリンクの時間‐周波数資源で搬送されるよう情報を構成する。基地局は、前記システム情報内の前記第一の構成情報を使って、固定した上りリンクおよび下りリンクの時間‐周波数資源を示すが、単位時間‐周波数資源の特定の型を示しはしない。その後、基地局は、情報伝送プロセスにおける各単位時間‐周波数資源の型を動的に構成してもよい。換言すれば、最小単位上りリンク／下りリンク時間‐周波数資源の動的な変更をサポートしてもよい。これは、上りリンク‐下りリンク・サービス比があらかじめ定義された上りリンク／下りリンク資源構成型にマッチしないときの時間‐周波数資源の無駄を回避する。基地局は、その後の伝送プロセスにおけるサービス状態に基づいて上りリンク‐下りリンクの時間‐周波数資源の比を動的に変更することができ、上りリンク‐下りリンク時間‐周波数資源比を構成するために前記システム情報を使う必要がない。これは、ユーザー装置の比較的低いアクセス遅延を保証し、時間‐周波数資源伝送型の迅速な構成を実装し、サービス品質を改善する。
【図面の簡単な説明】
【００７０】
【図１ａ】本願に基づく情報伝送方法の第一の実施形態のフローチャートである。
【００７１】
【図１ｂ】本願に基づく情報伝送方法における固定上りリンクの時間‐周波数資源および固定下りリンクの時間‐周波数資源の概略図である。
【００７２】
【図２ａ】四つのサブフレーム型の概略図である。
【００７３】
【図２ｂ】固定上りリンクの時間‐周波数資源／固定下りリンクの時間‐周波数資源が本願に従って位置されるサブフレームに対応するサブフレーム型の概略図である。
【００７４】
【図３】本願に基づく情報伝送方法の第二の実施形態のフローチャートである。
【００７５】
【図４ａ】本願に基づく情報伝送方法の第三の実施形態のフローチャートである。
【００７６】
【図４ｂ】本願に基づく情報伝送方法におけるサブフレーム型の概略図である。
【００７７】
【図５】本願に基づく情報伝送方法の第四の実施形態のフローチャートである。
【００７８】
【図６】本願に基づく情報伝送装置の第一の実施形態の概略的な構造図である。
【００７９】
【図７】本願に基づく情報伝送装置の第二の実施形態の概略的な構造図である。
【００８０】
【図８】本願に基づく情報伝送装置の第三の実施形態の概略的な構造図である。
【００８１】
【図９】本願に基づく情報伝送装置の第四の実施形態の概略的な構造図である。
【００８２】
【図１０】本願に基づくユーザー装置の第一の実施形態の概略的な構造図である。
【００８３】
【図１１】本願に基づく基地局の第一の実施形態の概略的な構造図である。
【発明を実施するための形態】
【００８４】
サービスが動的に変化することに関し、この解決策においては、サービスの動的な変化にマッチする完全な動的TDDシステムまたは半持続的TDDシステムが提案される。完全な動的TDDシステムとは、基地局が、無線資源制御（英文：Radio  Resource  Control、略RRC）信号伝達および／またはシステム情報および下りリンク制御情報を使うことによって、現在のスケジューリング単位の型をユーザー装置に通知することを意味する。ユーザー装置は、受信された下りリンク制御情報に基づいて、少なくとも一つの最小スケジューリング単位の型を決定する必要がある（ユーザー装置は、RRC信号伝達およびシステム情報だけを使ってすべてのサブフレーム型を決定することはできない）。半持続的TDDシステムとは、基地局が、RRC信号伝達および／またはシステム情報を使って現在のスケジューリング単位の型をユーザー装置に通知することを意味する。ユーザー装置は、受信されたRRC信号伝達および／またはシステム情報に基づいてスケジューリング単位の型を決定する。完全な動的TDDシステムは、最小スケジューリング単位の上りリンク時間‐周波数資源または下りリンク時間‐周波数資源の動的な変化をサポートしうる。半持続的なTDDシステムは、最小スケジューリング単位の上りリンク時間‐周波数資源および下りリンク時間‐周波数資源に対して複数回、異なる構成を直接実行してもよい。たとえば、最小の変更可能な単位はサブフレームであってもよい。最小のスケジューリング単位は、LTEでは一サブフレーム（subframe）と称される。5Gシステムのようなその後の進化したシステムでは、最小のスケジューリング単位はたとえばスロット（slot）を変えることがある。完全な動的な変化は、システム・アクセス・パフォーマンスを代償とすることはできない。たとえば、ユーザー装置が上りリンク・サービス要求情報を任意の時点において送りうるとき、完全な動的TDDシステムからのサポートが、アクセス時間を代償として得られることはできない。
【００８５】
本願において提供される情報伝送方法は、基地局およびユーザー装置に適用される。基地局は、上りリンク時間‐周波数資源および下りリンク時間‐周波数資源を動的に構成するために、ユーザー装置のアクセス・プロセスにおいて送られるシステム情報に構成情報を追加する。本願の技術的解決策において使われる基地局は、ユーザー装置を無線ネットワークに接続するための装置である。基地局は、進化型ノードB（英文：evolved  NodeB、略eNB）、無線ネットワーク・コントローラ（英文：radio  network  controller、略RNC）、ノードB（英文：NodeB、略NB）、基地局コントローラ（英文：Base  Station  Controller、略BSC）、ベーストランシーバーステーション（英文：Base  Transceiver  Station、略BTS）、家庭進化型ノードB（たとえばHome  evolved  NodeBまたはHome  NodeB、HNB）、ベースバンド・ユニット（英文：BaseBand  Unit、略BBU）、アクセスポイント（英文：Access  Point、略AP）などを含みうるが、それに限定されない。
【００８６】
ユーザー装置（英文：User  Equipment、UE）は端末装置と称されることもあり、ユーザーに音声および／またはデータ接続性を提供する装置であり、たとえば無線接続機能をもつハンドヘルド装置、携帯電話、車載装置、ウェアラブル装置、コンピューティング装置、移動局（英文：Mobile  Station、略MS）または無線モデムに接続された他の処理装置である。
【００８７】
図１ａは、本願に基づく情報伝送方法の第一の実施形態のフローチャートである。図１ａに示されるように、本情報伝送方法は、ユーザー装置と基地局との間で適用される。具体的な実装段階は次のとおり。
【００８８】
Ｓ１０１。ユーザー装置が、基地局によって送られたシステム情報を受信する。前記システム情報は、固定下りリンクの時間‐周波数資源および固定上りリンクの時間‐周波数資源を示すために使われる第一の構成情報を含む。
【００８９】
この段階において、基地局は第一の構成情報を含むシステム情報を取得して、該システム情報をユーザー装置に送る。第一の構成情報は、ユーザー装置に割り当てられる固定下りリンクの時間‐周波数資源および固定上りリンクの時間‐周波数資源を示す。固定上りリンクの時間‐周波数資源または固定下りリンクの時間‐周波数資源は、単位時間‐周波数資源の一つまたはいくつかのOFDMシンボルであり、固定上りリンクの時間‐周波数資源または固定下りリンクの時間‐周波数資源のOFDMシンボルの数は、単位時間‐周波数資源のOFDMシンボルの数より少ない。各単位時間‐周波数資源のOFDMシンボルの数は固定である。単位時間‐周波数資源は、一つまたは複数の最小スケジューリング単位でありうる。この解決策における第一の構成情報は、上りリンク伝送または下りリンク伝送のために専用に使われる固定した一つまたはいくつかのOFDMシンボルのみを限定するが、各時間‐周波数資源の型は限定しない。
【００９０】
たとえば、LTEでは、単位時間‐周波数資源はサブフレームであり、最小スケジューリング単位もサブフレームである。OFDMの固定数は、各サブフレームが14個のOFDMシンボルを含むことを意味する。第一の構成情報によって示される固定上りリンクの時間‐周波数資源または固定下りリンクの時間‐周波数資源は、サブフレームのn個のOFDMシンボルでありうる。ここで、nは12以下の正の整数である。
【００９１】
サブフレームが例として使われる。ユーザーによって受信される第一の構成情報は、サブフレームの最初の二つのシンボルが上りリンク伝送のために使われ、他のシンボルは限定されないことを示す。この場合、サブフレームの型は決定されない。サブフレームは上りリンク・サブフレーム、主な上りリンク・サブフレームまたは主な下りリンク・サブフレームでありえ、その後、要求に基づいて動的に構成されうる。
【００９２】
上記から、第一の構成情報がさらに、各単位時間‐周波数資源の型が限定されないことを示すために使われることがわかる。第一の構成情報は、各単位時間‐周波数資源の型が限定されないことを示す。つまり、第一の構成情報は、単位時間‐周波数資源の上りリンク／下りリンク型を示さない。上りリンク／下りリンク型は完全な上りリンク・サブフレーム、完全な下りリンク・サブフレーム、主な上りリンク・サブフレームおよび主な下りリンク・サブフレームを含みうる。換言すれば、各上りリンク／下りリンク型について、各OFDMシンボルが上りリンク・シンボル、下りリンク・シンボルまたは保護期間（guard  period、GP）シンボルであることがあらかじめ定義される。
【００９３】
さらに、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源（主な上りリンクまたは主な下りリンクと等価）を含む。
【００９４】
Ｓ１０２。第一の構成情報に基づいて、ユーザー装置は、固定下りリンクの時間‐周波数資源で情報を取得するまたは固定上りリンクの時間‐周波数資源で搬送されるよう情報を構成する。
【００９５】
この段階において、第一の構成情報を含むシステム情報を受信した後、ユーザー装置は、システム情報における固定下りリンクの時間‐周波数資源および固定上りリンクの時間‐周波数資源に基づいて、下りリンク情報伝送または上りリンク情報伝送を実行する必要がある。ユーザー装置の観点からは、基地局が固定下りリンクの時間‐周波数資源で情報（これはデータまたは信号でありうる）を送る場合、ユーザー装置は該情報を取得するために固定下りリンクの時間‐周波数資源上で検出を実行する必要がある；ユーザー装置が基地局に情報（これもデータまたは信号でありうる）を送る必要がある場合、ユーザー装置は、送られるべき情報に対して変調および符号化のような処理を実行して、情報を、送るために固定上りリンクの時間‐周波数資源上に構成してもよい。
【００９６】
Ｓ１０３。ユーザー装置は、固定下りリンクの時間‐周波数資源および／または固定上りリンクの時間‐周波数資源を使うことによって基地局と情報を交換する。
【００９７】
この解決策において、Ｓ１０３は任意的な段階である。ユーザー装置の観点からは、ユーザー装置は、固定上りリンクの時間‐周波数資源に基づいて基地局に情報を送る；および／またはユーザー装置は、基地局によって送られた情報を、固定下りリンクの時間‐周波数資源に基づいて受信する。基地局の観点からは、基地局は、固定上りリンクの時間‐周波数資源でユーザー装置によって送られた情報を受信する；および／または基地局は、固定下りリンクの時間‐周波数資源でユーザー装置に情報を送る。換言すれば、基地局とユーザー装置が情報を交換する。
【００９８】
上記の解決策では、無線フレームが例として使われる。システム情報は、無線フレームのいくつかのサブフレームの固定上りリンク／下りリンクの時間‐周波数資源を示す第一の構成情報を含む。固定上りリンクの時間‐周波数資源または固定下りリンクの時間‐周波数資源は、時間領域において少なくとも一つのOFDMシンボルを占める（固定上りリンクの時間‐周波数資源および固定下りリンクの時間‐周波数資源は諸サブフレームにおいて異なる位置に位置される）。一つまたはいくつかのOFDMシンボルだけが占有されるそのような仕方は、固定の時間‐周波数資源が位置するサブフレームの伝送方向（上りリンクまたは下りリンク）が動的に変化できることを保証し、上りリンク・データ送信スケジューリング要求の待機遅延が、上りリンク時間‐周波数資源をあらかじめ定義することによって、短縮される。たとえば、図１ｂは、本願に基づく情報伝送方法における固定上りリンクの時間‐周波数資源および固定下りリンクの時間‐周波数資源の概略図である。図１ｂに示されるように、無線フレームが例として使われ、無線フレームは10個のサブフレーム0ないし9を含む。第一の構成情報を使って固定した構成が実行された後、無線フレームにおける固定上りリンクの時間‐周波数資源および固定下りリンクの時間‐周波数資源がこの図に示されてもよい。固定の時間‐周波数資源に加えて、他の資源が、下りリンク制御情報に基づいて示されてもよい。図では、サブフレーム1ないし9において、固定下りリンクの時間‐周波数資源（サブフレーム5）および固定上りリンクの時間‐周波数資源（サブフレーム1,2,6,および7）として示されたサブフレームに加えて、他の時間領域資源が、上りリンク情報を伝送するために使われてもよく（上向き矢印）、あるいは下りリンク情報を伝送するために使われてもよく（下向き矢印）、特定のサブフレーム型は、その後の下りリンク制御情報において示されてもよい。
【００９９】
図１ｂでは、固定下りリンクの時間‐周波数資源は、サブフレームの最初の一つまたはいくつかのシンボルであり、固定上りリンクの時間‐周波数資源はサブフレームの最後の一つまたはいくつかのシンボルである。
【０１００】
ある任意的な実装では、固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。サブフレームが例として使われる。該実装の意味は、サブフレームの最初の一つまたはいくつかのシンボルが固定下りリンクの時間‐周波数資源として構成されてもよく、サブフレームの最後の一つまたはいくつかのシンボルが固定下りリンクの時間‐周波数資源として構成されてもよいということである。
【０１０１】
たとえば、現在のところ、無線フレームは10個のサブフレームを含み（サブフレーム番号は0ないし9）、各サブフレームは複数のOFDMシンボルを含む。第一の構成情報は、サブフレーム0が固定下りリンクの時間‐周波数資源を含み、サブフレーム5が固定上りリンクの時間‐周波数資源を含むことを示してもよい。具体的には、第一の構成情報は、サブフレーム0における固定下りリンクの時間‐周波数資源として構成されるシンボルが最初のOFDMシンボルであることを示してもよい。換言すれば、サブフレーム0については、最初のシンボルだけが下りリンク伝送のために使われる固定の資源であり、他のシンボルは限定されない。サブフレーム0の型は下りリンク・サブフレーム、主な上りリンク・サブフレームまたは主な下りリンク・サブフレームでありうる。サブフレーム5において固定上りリンクの時間‐周波数資源として構成されるシンボルが最後のOFDMシンボルであることが示されてもよい。換言すれば、サブフレーム5については、最後のシンボルだけが上りリンク伝送のために使われる固定の資源であり、他のシンボルは限定されない。サブフレーム5の型は上りリンク・サブフレーム、主な上りリンク・サブフレームまたは主な下りリンク・サブフレームでありうる。
【０１０２】
図２ａは、四つのサブフレーム型の概略図である。図２に示されるように、無線アクセス・システムにおいて、以下のいくつかのサブフレーム型が含まれる：完全な上りリンク・サブフレーム（すなわち、上りリンク・サブフレーム）、完全な下りリンク・サブフレーム（すなわち、下りリンク・サブフレーム）およびハイブリッド・サブフレーム、つまり主な上りリンク・サブフレームおよび主な下りリンク・サブフレーム。
【０１０３】
図２ｂは、固定上りリンクの時間‐周波数資源／固定下りリンクの時間‐周波数資源が本願に従って位置されるサブフレームに対応するサブフレーム型の概略図である。図２ｂに示されるように、サブフレームの開始位置において、下りリンク伝送のための少なくとも一つの固定のOFDMシンボルがある。サブフレームはここでも完全な下りリンク・サブフレーム、主な下りリンク・サブフレームまたは主な上りリンク・サブフレームのうちの一つでありうる。固定上りリンクの時間‐周波数資源は時間領域において該固定上りリンクの時間‐周波数資源を含むサブフレームの末尾における少なくとも一つのOFDMシンボルなので、サブフレームはここでも完全な上りリンク・サブフレーム、主な下りリンク・サブフレームまたは主な上りリンク・サブフレームのうちの一つでありうる。
【０１０４】
この実施形態において提供される情報伝送方法によれば、基地局は、システム情報における前記第一の構成情報を使うことによって、固定した上りリンクおよび下りリンクの時間‐周波数資源を示すが、単位時間‐周波数資源の特定の型を示しはしない。その後、基地局は、情報伝送プロセスにおいて、各単位時間‐周波数資源の型を動的に構成してもよい。換言すれば、最小単位の上りリンク／下りリンク時間‐周波数資源の動的な変更をサポートしてもよい。これは、上りリンク‐下りリンク・サービス比があらかじめ定義された上りリンク／下りリンク資源構成型にマッチしないときに引き起こされる時間‐周波数資源の無駄の問題を回避する。さらに、基地局は、サービス状態に基づいて上りリンク‐下りリンクの時間‐周波数資源の比を動的に変えることができ、上りリンク‐下りリンク時間‐周波数資源の比を構成するために前記システム情報を使う必要がない。これは、ユーザー装置の比較的低いアクセス遅延を保証し、時間‐周波数資源伝送型の迅速な構成を実装し、事実上、サービス品質を改善する。
【０１０５】
図３は、本願に基づく情報伝送方法の第二の実施形態のフローチャートである。上記の第一の実施形態に基づき、図３に示されるように、情報伝送方法はさらに以下の段階を含む。
【０１０６】
Ｓ２０１。ユーザー装置が、前記固定下りリンクの時間‐周波数資源で基地局によって送られた下りリンク制御情報を受信する。ここで、前記下りリンク制御情報は少なくとも一つの単位時間‐周波数資源の型を示すために使われる。
【０１０７】
この段階では、前記システム情報を使うことによって固定上りリンクの時間‐周波数資源および固定下りリンクの時間‐周波数資源を示した後に、基地局は、下りリンク制御情報を使うことによって単位時間‐周波数資源の型を示してもよい。
【０１０８】
Ｓ２０２。ユーザー装置が前記下りリンク制御情報に基づいて各単位時間‐周波数資源の型を決定する。
【０１０９】
Ｓ２０３。ユーザー装置が基地局と情報を交換する。
【０１１０】
サブフレームが例として使われる。前記システム情報を送った後、基地局は、少なくとも前記固定下りリンクの時間‐周波数資源の位置において前記下りリンク制御情報を送って、該固定下りリンクの時間‐周波数資源が位置しているサブフレームの型または別のサブフレームの型を示す、あるいはすべてのサブフレームのサブフレーム型を示す。
【０１１１】
この解決策では、下りリンク制御情報が位置しているサブフレームは、前記システム情報を送るために使われた少なくとも一つのサブフレームを含む。具体的には、前記少なくとも一つのサブフレームのサブフレーム型が、表２に示されるように、二ビットの情報を使うことによって示されてもよい。
【表２】
2019531039.tif 000004
【０１１２】
上記の表に示されるように、現在のサブフレームのサブフレーム型を示すために下りリンク制御情報が使われるとき、下りリンク制御情報に二ビットの情報が追加される必要がある。下りリンク制御情報が無線フレームのすべてのサブフレーム（10個）のサブフレーム型を示す場合は、20ビットの長さをもつシーケンスが必要とされ、二ビット毎に一つのサブフレームのサブフレーム型を示すために使われる。
【０１１３】
さらに、下りリンク制御情報はさらに、主な上りリンク／下りリンク・サブフレームにおける保護期間の位置および保護期間の長さを示すために使われる指示情報を含んでいてもよい。たとえば、時間領域における保護期間の開始位置と直近のサブフレーム境界との間のOFDMシンボルの数を示すために、三ビットの情報がさらに導入される。追加的な二ビットの情報が、保護期間によって占められるOFDMシンボルの数を示すよう構成される。
【０１１４】
単位時間‐周波数資源の型が決定された後、基地局は、前記少なくとも一つの単位時間‐周波数資源の型に基づいてユーザー装置と情報を交換する。
【０１１５】
Ｓ２０４。基地局が干渉強度を取得する。干渉強度は、基地局の上りリンクまたは下りリンク伝送への近傍セル信号の干渉の度合いを示すために使われる。
【０１１６】
この情報伝送プロセスにおいて、基地局は、基地局の上りリンク／下りリンク伝送における近傍セル信号の干渉をリアルタイムで取得し、該干渉強度を使って、現在の完全な動的なTDD様式または別の様式を使うことを続けるかどうかを決定する必要がある。具体的には、基地局が干渉強度を取得するためには、少なくとも下記のいくつかの様式がある。
【０１１７】
第一の様式では、ユーザー装置がチャネル状態測定レポートを基地局に送り、基地局がユーザー装置によって送られた該チャネル状態測定レポートを受信する。チャネル状態測定レポートは下りリンク信号の信号対雑音比を含む。基地局は、前記下りリンク信号の信号対雑音比に基づいて前記干渉強度を取得する。
【０１１８】
つまり、基地局が、現在のセルにおけるユーザー装置のチャネル測定をトリガーするまたは構成することによって、ユーザー装置によって送られたチャネル状態測定レポートを受け取り、次いで、該チャネル測定レポートに基づいて前記干渉強度を取得する。
【０１１９】
第二の様式では、基地局があらかじめ定義された時間‐周波数資源位置において、近傍セルの干渉信号強度を測定し、該強度を前記干渉強度として使う。つまり、基地局があらかじめ定義された時間‐周波数資源位置において、別のセルから送られた参照信号の信号強度を測定し、該信号強度を前記干渉強度として使う。
【０１２０】
第三の様式では、基地局が、ユーザー装置によって送られたチャネル探測参照信号を受信し、前記チャネル探測参照信号に基づいて上りリンク伝送チャネル品質を測定して前記干渉強度を取得する。
【０１２１】
つまり、基地局は、下りリンク制御情報を送ることおよびより上位層の信号伝達によって、ユーザー装置によって送られたチャネル探測参照信号を取得し、受信されたチャネル探測参照信号に基づいて現在セルの上りリンク・チャネル品質を測定して、前記干渉強度を得る。
【０１２２】
Ｓ２０５。前記干渉強度が、事前設定された干渉強度閾値より大きいときは、基地局は、第二の構成情報を含むシステム情報を前記ユーザー装置に送る。前記第二の構成情報は、各単位時間‐周波数資源の型を示すために使われる。
【０１２３】
この段階において、基地局は、得られた干渉強度を事前設定された干渉強度閾値と比較する。動的TDDシステム様式において干渉強度が閾値より大きい場合、基地局は、半持続的TDDシステム様式が使われる必要があることを判別し、第二の構成情報を含むシステム情報をユーザー装置に送る。第二の構成情報は、各単位時間‐周波数資源の型を示すために使われる。単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１２４】
Ｓ２０６。ユーザー装置は、各単位時間‐周波数資源の型に基づいて、基地局と情報を交換する。型は第二の構成情報によって示される。
【０１２５】
この段階では、各単位時間‐周波数資源の型が決定された後に、基地局は、信号およびデータの伝送を含め、単位時間‐周波数資源の型に基づいてユーザー装置と情報を交換する。
【０１２６】
上記の段階Ｓ２０４ないしＳ２０６は任意的な実行段階である。現在のシステムが動的TDDシステムとして構成された後には、システム型の切り換えが干渉強度に基づいて実行されることは要求されない。
【０１２７】
さらに、任意的に、干渉強度が閾値より小さいときは、基地局は、第一の構成情報を含むシステム情報を使って、ユーザー装置の固定上りリンクの時間‐周波数資源および固定下りリンクの時間‐周波数資源を示し、現在のシステムを動的TDDシステムに切り換えてもよい。動的TDDシステムでは、各サブフレームのサブフレーム型はシステム情報において限定されない。ユーザー装置は、その後受信される指示情報または制御情報に基づいて、現在のサブフレームのサブフレーム型を判別しうる。
【０１２８】
上記の実施形態のいずれにおいても、下りリンク制御情報を検出するためにユーザー装置によって使われる具体的な仕方は：前記システム情報を受信する前に、前記ユーザー装置によって、前記システム情報をスケジュールするための前記下りリンク制御情報を受信することを含む。該下りリンク制御情報は、無線フレームのすべてのサブフレームのサブフレーム型を含む。この様式は、システム情報受信後の長い時間内にユーザー装置がサブフレーム型を示す下りリンク制御情報を受信しないことを回避し、それによりユーザー装置がシステムにアクセスするための遅延を短縮する。
【０１２９】
任意的に、ユーザー装置がシステム情報を受信した後、本方法はさらに：ユーザー装置によって、上りリンク・スケジューリング要求情報を基地局に送ることを含む。換言すれば、ユーザー装置が上りリンク・データを送る必要があるとき、ユーザー装置は、固定上りリンクの時間‐周波数資源上の資源位置において上りリンク要求情報を送る必要がある。
【０１３０】
この解決策において提供される情報伝送方法は、上りリンク‐下りリンク・サービス比があらかじめ定義された上りリンク／下りリンク資源構成型にマッチしないときに引き起こされる時間‐周波数資源の無駄を回避するだけでなく、上りリンク／下りリンク時間‐周波数資源構成比の動的な調整をも実装し、それにより処理遅延を短縮するとともに、動的TDDシステムの柔軟性を保証する。さらに、動的TDDシステムと半持続的TDDシステムとの間の柔軟な切り換えに基づいて、システム負荷が比較的高いまたは干渉が比較的強いときは半持続的TDDシステムが使用され、それにより事実上、システム・パフォーマンスを保証する。
【０１３１】
図４ａは、本願に基づく情報伝送方法の第三の実施形態のフローチャートである。図４に示されるように、半持続的TDDシステムのための情報伝送方法がさらに提供される。具体的な実装段階は次のとおり。
【０１３２】
Ｓ３０１。ユーザー装置が、基地局によって送られたシステム情報を受信する。前記システム情報は、各単位時間‐周波数資源の型を示すために使われる第二の構成情報を含む。
【０１３３】
この段階において、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。基地局は、システム情報における第二の構成情報を使うことによって、各単位時間‐周波数資源の型を示す。換言すれば、単位時間‐周波数資源についての上りリンク‐下りリンク構成様式を決定する。
【０１３４】
無線フレームが例として使われる。固定した上りリンク／下りリンク構成をもつTDDについて、システム情報はさらに、種々の上りリンク／下りリンク構成、つまりサブフレーム型を示す第二の構成情報を含む。たとえば、種々の構成型は、次の表３に従って示されてもよい。
【表３】
2019531039.tif 000005
【０１３５】
この構成型における{U*}および{D*}は、さらに示される必要のあるサブフレーム型を表わし、{D}および{S}は「背景」において記述された構成様式におけるサブフレーム型を表わす。
【０１３６】
構成型については、たとえば、構成2は{U*}および{D*}サブフレーム型を示すために使われる指示情報を含む必要がある。該指示情報は一つのビット・シーケンス{1  0  1  0  0  1であってもよい。{U*}サブフレームについては、{1}は現在のサブフレームが主な上りリンクのサブフレームであることを表わし、{0}は現在のサブフレームが完全に上りリンクのサブフレームであることを表わす。{D*}サブフレームについては、{1}は現在のサブフレームが主な下りリンクのサブフレームであることを表わし、{0}は現在のサブフレームが完全に下りリンクのサブフレームであることを表わす。
【０１３７】
さらに、システム情報はさらに、主な上りリンク／下りリンクのサブフレームにおける保護期間の位置および長さを示す情報を含む。たとえば、五ビットの情報が導入され、三ビットの情報が時間領域における保護期間の開始位置と直近のサブフレーム境界との間のOFDMシンボルの数を示すために使われ、残りの二ビットの情報が、保護期間によって占められるOFDMシンボルの数を示すために使われる。
【０１３８】
さらに、保護期間の構成情報は、主な上りリンク・サブフレームおよび／または主な下りリンク・サブフレームを構成するために使われてもよい。具体的には、システム情報は、主な上りリンク・サブフレームにおける保護期間の構成情報のみを含み、主な下りリンク・サブフレームにおける保護期間の構成情報は、主な上りリンク・サブフレームにおける保護期間の位置を参照することによって系統的に設計される。あるいはまた、システム情報は、主な上りリンク・サブフレームおよび主な下りリンク・サブフレームにおける保護期間の構成情報を含み、構成情報の各ピースは五ビットを占め、二つのサブフレームの保護期間の位置を構成するために全部で10ビットが使われる。
【０１３９】
Ｓ３０２。ユーザー装置が、第二の構成情報に基づいて基地局と情報を交換する。
【０１４０】
単位時間‐周波数資源の型を示すことが完了した後、上りリンク‐下りリンク・データおよび情報が、決定された型の単位時間‐周波数資源を使うことによって、基地局とユーザー装置の間で伝送されてもよい。
【０１４１】
この解決策において、サブフレームが例として使われる。基地局は、システム情報において、現在のシステムの各サブフレームのサブフレーム型を構成する。構成型は、異なる基地局および／または異なるオペレーターの間のネゴシエーション後に決定された結果である。異なる基地局の間で情報はX2インターフェースを使って伝送される。基地局は、近傍セルの構成状態に基づいて、現在のシステムについてすべてのサブフレーム型を決定する。
【０１４２】
図４ｂは、本願に基づく情報伝送方法におけるサブフレーム型の概略図である。図４ｂに示されるように、第二の構成情報によって示される各単位時間‐周波数資源の型が、あらかじめ定義された上りリンク‐下りリンクの時間‐周波数資源構成として使われる。該あらかじめ定義された構成は、図４ｂにおけるどの構成様式であってもよい（同様に、図４ｂでは、固定下りリンクの時間‐周波数資源はサブフレームの最初の一つまたはいくつかのシンボルであり、固定下りリンクの時間‐周波数資源はサブフレームの最後の一つまたはいくつかのシンボルである）。その後の情報伝送プロセスにおいて、基地局は、RRC信号伝達を使うことによって、各単位時間‐周波数資源の型を示しうる。たとえば、無線フレームが10個のサブフレームをもち、複数の上りリンク‐下りリンク構成組み合わせがあり、それは現在のLTEシステムにおける七つの組み合わせ型以上でありうる。
【０１４３】
現在のシステムがロングタームエボリューション（英文：Long  Term  Evolution、略LTE）システムと共存する場合、各サブフレームの構成型はLTEシステムにおける七つの構成型のうちの一つである（この解決策は、表４に示される七つの型に限定されない）。LTEにおける七つの構成型は表４に示されている。
【表４】
2019531039.tif 000006
【０１４４】
Dは完全な下りリンク・サブフレームを表わし、Sは特別なサブフレームを表わし、Uは完全な上りリンク・サブフレームを表わす。
【０１４５】
この実施形態において提供される情報伝送方法によれば、基地局は、第二の構成情報を含むシステム情報を使うことによってシステムを半持続的TDDシステムとして構成してもよい。これは、異なる基地局の間の干渉協調を容易にする。
【０１４６】
図５は、本願に基づく情報伝送方法の第四の実施形態のフローチャートである。図５に示されるように、システムが前記第四の実施形態において半持続的TDDシステムとして構成された後、情報伝送方法はさらに以下の段階を含む。
【０１４７】
Ｓ４０１。ユーザー装置が基地局にチャネル状態測定レポートを送る。チャネル状態測定レポートは、下りリンク信号の信号対雑音比を含む。
【０１４８】
Ｓ４０２。基地局が干渉強度を取得する。干渉強度は、基地局の上りリンクまたは下りリンク伝送への近傍セル信号の干渉の度合いを示すために使われる。
【０１４９】
この技術的解決策においては、情報伝送プロセスにおいて、基地局は、基地局の上りリンク／下りリンク伝送への近傍セル信号の干渉をリアルタイムで取得し、該干渉強度に基づいて、現在の半持続的TDD様式または別の様式を使うことを続けるかどうかを決定する必要がある。具体的には、基地局が干渉強度を取得するためには、少なくとも下記のいくつかの様式がある。
【０１５０】
第一の様式では、ユーザー装置がチャネル状態測定レポートを基地局に送り、基地局がユーザー装置によって送られた該チャネル状態測定レポートを受信する。チャネル状態測定レポートは下りリンク信号の信号対雑音比を含む。基地局は、前記下りリンク信号の信号対雑音比に基づいて前記干渉強度を取得する。
【０１５１】
つまり、基地局が、現在のセルにおけるユーザー装置のチャネル測定をトリガーするまたは構成することによって、ユーザー装置によって送られたチャネル状態測定レポートを受け取り、次いで、該チャネル測定レポートに基づいて前記干渉強度を取得する。
【０１５２】
第二の様式では、基地局があらかじめ定義された時間‐周波数資源位置において、近傍セルの干渉信号強度を測定し、該強度を前記干渉強度として使う。つまり、基地局があらかじめ定義された時間‐周波数資源位置において、別のセルから送られた参照信号の信号強度を測定し、該信号強度を前記干渉強度として使う。
【０１５３】
第三の様式では、基地局が、ユーザー装置によって送られたチャネル探測参照信号を受信し、前記チャネル探測参照信号に基づいて上りリンク伝送チャネル品質を測定して前記干渉強度を取得する。
【０１５４】
つまり、基地局は、下りリンク制御情報を送ることおよびより上位層の信号伝達によって、ユーザー装置によって送られたチャネル探測参照信号を取得し、受信されたチャネル探測参照信号に基づいて現在セルの上りリンク・チャネル品質を測定して、前記干渉強度を得る。
【０１５５】
Ｓ４０３。前記干渉強度が、事前設定された干渉強度閾値より小さいときは、基地局は、第一の構成情報を含むシステム情報を前記ユーザー装置に送る。前記第一の構成情報は、固定下りリンクの時間‐周波数資源および固定上りリンクの時間‐周波数資源を示すために使われる。
【０１５６】
この段階において、基地局は、得られた干渉強度を事前設定された干渉強度閾値と比較する。動的TDDシステム様式において干渉強度が閾値より小さい場合、基地局は、完全な動的TDDシステム様式が使われる必要があることを判別する。換言すれば、現在のサービスするセルを動的TDDシステムとして構成する。ある具体的実装は、第一の構成情報を含むシステム情報を使うことによって固定上りリンクの時間‐周波数資源および固定下りリンクの時間‐周波数資源を示すことである。動的TDDシステムでは、各単位時間‐周波数資源の型はシステム情報において限定されない。ユーザー装置は、現在の単位時間‐周波数資源（たとえばサブフレーム）の型を、受信された指示情報または下りリンク制御情報に基づいて決定する。
【０１５７】
Ｓ４０４。前記第一の構成情報に基づいて、ユーザー装置は、前記固定下りリンクの時間‐周波数資源で情報を取得するまたは前記固定上りリンクの時間‐周波数資源で搬送されるよう情報を構成する。
【０１５８】
前記第一の構成情報を含むシステム情報を受信した後、ユーザー装置は、システム情報における固定下りリンクの時間‐周波数資源および固定上りリンクの時間‐周波数資源に基づいて、下りリンク情報伝送または上りリンク情報伝送を実行する必要がある。ユーザー装置の観点からは、基地局が固定下りリンクの時間‐周波数資源で情報（これはデータまたは信号でありうる）を送る場合、ユーザー装置は該情報を取得するために固定下りリンクの時間‐周波数資源上で検出を実行する必要がある；ユーザー装置が基地局に情報（これもデータまたは信号でありうる）を送る必要がある場合、ユーザー装置は、送られるべき情報に対して変調および符号化のような処理を実行して、情報を、送るために固定上りリンクの時間‐周波数資源上に構成してもよい。
【０１５９】
現在のシステムが動的TDDシステムに切り換えられた後、単位時間‐周波数資源の型を決定するためおよび情報を伝送するための具体的な仕方については、上記の実施形態を参照されたい。同様に、信号の得られた干渉強度に基づいて基地局が半持続的TDDシステムを動的TDDシステムに切り換えるこの解決策も任意的な解決策であり、半持続的TDDシステムを実行しているプロセスにおける切り換えは必須ではない。
【０１６０】
さらに、動的TTDシステムにおいて、干渉強度が過度に高いときは、システムは、あらかじめ定義された上りリンク‐下りリンク時間‐周波数資源構成を再利用してもよい。
【０１６１】
この解決策は、動的TDDシステムの柔軟性を保証する。さらに、動的TDDシステムと半持続的TDDシステムとの間の柔軟な切り換えに基づいて、システム負荷が比較的高いまたは干渉が比較的強いときは半持続的TDDシステムが使用され、干渉が比較的弱いまたは負荷が比較的低いときは動的TDDシステムが使用される。これは事実上、システム・パフォーマンスを保証する。
【０１６２】
上記の解決策のいずれかに基づき、システム情報はさらに、現在のシステムが動的TDDシステムであるまたは半持続的TDDシステムであることを示すために使われるフィールド（field）を含んでいてもよい。具体的には、基地局は、システム情報に一ビットの情報を加える。この一ビットの情報は、システムが動的TDDシステムであるまたは固定した上りリンク‐下りリンク構成をもつTDDシステムであることを示すことを含む。
【０１６３】
本願において提供される動的TDDシステムおよび半持続的TDDシステムの間で切り換えが実行されてもよい。上記の実施形態における干渉強度に基づく切り換えは、単に一つの実装である。代替的に、切り換えは、システムのサービス負荷およびサービスされるユーザーの数といったパラメータに基づいて実行されてもよい。たとえば、サービスされるユーザーの数またはシステムのサービス負荷が事前設定された値より小さいとき、システムは半持続的TDDシステムから動的TDDシステムに切り換えられる；サービスされるユーザーの数またはシステムのサービス負荷が事前設定された値より小さくないとき、半持続的TDDシステムに戻る切り換えがされてもよい。これは本願において限定されない。
【０１６４】
図６は、本願に基づく情報伝送装置の第一の実施形態の概略的な構造図である。図６に示されるように、情報伝送装置１０は：
基地局によって送られたシステム情報を受信するよう構成された受信モジュール１１であって、前記システム情報は、固定下りリンクの時間‐周波数資源および固定上りリンクの時間‐周波数資源を示すために使われる第一の構成情報を含む、受信モジュールと；
前記第一の構成情報に基づいて、前記固定下りリンクの時間‐周波数資源で情報を取得するまたは前記固定上りリンクの時間‐周波数資源で搬送されるよう情報を構成するよう構成された処理モジュール１２とを含む。
【０１６５】
この実施形態において提供される情報伝送装置は、上記の技術的解決策のいずれかにおけるユーザー装置側の技術的解決策を実行するよう構成される。それらの実装原理および技術的効果は同様である。よって、ここで再び詳細を述べることはしない。
【０１６６】
上記の解決策に基づき、任意的に、受信モジュール１１によって受信される第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１６７】
任意的に、上記の解決策に基づき、情報伝送装置１０はさらに送信モジュール１３を含み、
前記送信モジュール１３が、前記固定上りリンクの時間‐周波数資源に基づいて情報を前記基地局に送るよう構成される；および／または
前記受信モジュール１１が、前記基地局によって送られた情報を、前記固定下りリンクの時間‐周波数資源に基づいて、受信するようさらに構成される。
【０１６８】
任意的に、受信モジュール１１はさらに、前記固定下りリンクの時間‐周波数資源で前記基地局によって送られた下りリンク制御情報を受信するよう構成される。前記下りリンク制御情報は、少なくとも一つの単位時間‐周波数資源の型を示すために使われる。
【０１６９】
前記処理モジュール１２はさらに、前記下りリンク制御情報に基づいて各単位時間‐周波数資源の型を決定するよう構成される。
【０１７０】
前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１７１】
任意的に、前記受信モジュール１１によって受信される前記第一の構成情報によって示される固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【０１７２】
任意的に、前記受信モジュール１１はさらに、前記基地局によって送られた、第二の構成情報を含むシステム情報を受信するよう構成される。前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１７３】
任意的に、前記送信モジュール１３はさらに、チャネル状態測定レポートを前記基地局に送るよう構成される。前記チャネル状態測定レポートは下りリンク信号の信号対雑音比を含む。
【０１７４】
この実施形態において提供される情報伝送装置は、上記の技術的解決策のいずれかにおけるユーザー装置側の技術的解決策を実行するよう構成される。それらの実装原理および技術的効果は同様である。よって、ここで再び詳細を述べることはしない。
【０１７５】
図７は、本願に基づく情報伝送装置の第二の実施形態の概略的な構造図である。図７に示されるように、情報伝送装置２０は：
システム情報を取得するよう構成された処理モジュール２１であって、前記システム情報は、固定下りリンクの時間‐周波数資源および固定上りリンクの時間‐周波数資源を示すために使われる第一の構成情報を含む、処理モジュールと；
前記第一の構成情報に基づいて、ユーザー装置が、前記固定下りリンクの時間‐周波数資源で情報を取得するまたは前記固定上りリンクの時間‐周波数資源で搬送されるよう情報を構成するよう、前記システム情報をユーザー装置に送るよう構成された送信モジュール２２とを含む。
【０１７６】
任意的に、前記処理モジュール２１によって取得される前記第一の構成情報はさらに、各単位時間‐周波数資源の型が限定されないことを示すために使われる。単位時間‐周波数資源は固定数の直交周波数分割多重OFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１７７】
この実施形態において提供される情報伝送装置は、上記の技術的解決策のいずれかにおける基地局側の技術的解決策を実行するよう構成される。それらの実装原理および技術的効果は同様である。よって、ここで再び詳細を述べることはしない。
【０１７８】
さらに、情報伝送装置２０はさらに受信モジュール２３を含み、
前記受信モジュール２３が、前記固定上りリンクの時間‐周波数資源で前記ユーザー装置によって送られた情報を受信するよう構成される；および／または
前記送信モジュール２２が、前記固定下りリンクの時間‐周波数資源で前記ユーザー装置に情報を送るようさらに構成される。
【０１７９】
任意的に、前記送信モジュール２２は、前記固定下りリンクの時間‐周波数資源で前記ユーザー装置に下りリンク制御情報を送るようさらに構成され、それにより、前記ユーザー装置が前記下りリンク制御情報に基づいて少なくとも一つの単位時間‐周波数資源の型を決定する。前記下りリンク制御情報は前記少なくとも一つの単位時間‐周波数資源の型を示すために使われ、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１８０】
任意的に、前記送信モジュール２２によって送られる固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【０１８１】
任意的に、前記処理モジュール２１はさらに、干渉強度を取得するよう構成される。前記干渉強度は、基地局の上りリンクまたは下りリンク伝送への近傍セル信号の干渉の度合いを示すために使われる。
【０１８２】
前記処理モジュール２１が前記干渉強度が、事前設定された干渉強度閾値より大きいことを判別するとき、前記送信モジュール２２はさらに、第二の構成情報を含むシステム情報を前記ユーザー装置に送るよう構成される。前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１８３】
任意的に、前記処理モジュール２１が具体的に：あらかじめ定義された時間‐周波数資源位置において、近傍セルの干渉信号強度を測定し、該強度を前記干渉強度として使うよう構成される；または
前記受信モジュール２３がさらに、前記ユーザー装置によって送られたチャネル状態測定レポートを受信するよう構成され、前記チャネル状態測定レポートは下りリンク信号の信号対雑音比を含み、前記処理モジュール２１がさらに、前記下りリンク信号の信号対雑音比に基づいて前記干渉強度を取得するよう構成される；または
前記受信モジュール２３がさらに：前記ユーザー装置によって送られたチャネル探測参照信号を受信し、前記チャネル探測参照信号に基づいて上りリンク伝送チャネル品質を測定して前記干渉強度を取得するよう構成される。
【０１８４】
この実施形態において提供される情報伝送装置は、上記の技術的解決策のいずれかにおける基地局側の技術的解決策を実行するよう構成される。それらの実装原理および技術的効果は同様である。よって、ここで再び詳細を述べることはしない。
【０１８５】
図８は、本願に基づく情報伝送装置の第三の実施形態の概略的な構造図である。図８に示されるように、情報伝送装置３０は：
基地局によって送られたシステム情報を受信するよう構成された受信モジュール３１であって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、受信モジュールと；
前記第二の構成情報に基づいて前記基地局と情報を交換するよう当該情報伝送装置を制御するよう構成された処理モジュール３２とを含む。
【０１８６】
任意的に、前記受信モジュール３１はさらに、前記基地局によって送られた、第一の構成情報を含むシステム情報を受信するよう構成される。前記第一の構成情報は、固定下りリンクの時間‐周波数資源および固定上りリンクの時間‐周波数資源を示すために使われる。
【０１８７】
前記処理モジュール３２はさらに、前記第一の構成情報に基づいて、前記固定下りリンクの時間‐周波数資源で情報を取得するまたは前記固定上りリンクの時間‐周波数資源で搬送されるよう情報を構成するよう構成される。
【０１８８】
この実施形態において提供される情報伝送装置は、上記の技術的解決策のいずれかにおけるユーザー装置側の技術的解決策を実行するよう構成される。それらの実装原理および技術的効果は同様である。よって、ここで再び詳細を述べることはしない。
【０１８９】
さらに、情報伝送装置３０はさらに：
チャネル状態測定レポートを前記基地局に送るよう構成された送信モジュール３３を含む。前記チャネル状態測定レポートは下りリンク信号の信号対雑音比を含む。
【０１９０】
この実施形態において提供される情報伝送装置は、上記の技術的解決策のいずれかにおけるユーザー装置側の技術的解決策を実行するよう構成される。それらの実装原理および技術的効果は同様である。よって、ここで再び詳細を述べることはしない。
【０１９１】
図９は、本願に基づく情報伝送装置の第四の実施形態の概略的な構造図である。図９に示されるように、情報伝送装置４０は：
ユーザー装置にシステム情報を送るよう構成された送信モジュール４１であって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、送信モジュールと；
前記第二の構成情報に基づいて前記ユーザー装置と情報を交換するよう当該情報伝送装置を制御するよう構成された処理モジュール４２とを含む。
【０１９２】
任意的に、前記処理モジュール４２はさらに、干渉強度を取得するよう構成される。前記干渉強度は、基地局の上りリンクまたは下りリンク伝送への近傍セル信号の干渉の度合いを示すために使われる。
【０１９３】
前記処理モジュール４２が、前記干渉強度が、事前設定された干渉強度閾値より小さいことを判別するとき、前記送信モジュールがさらに、第一の構成情報を含むシステム情報を前記ユーザー装置に送るよう構成される。前記第一の構成情報は、固定下りリンクの時間‐周波数資源および固定上りリンクの時間‐周波数資源を示すために使われる。
【０１９４】
この実施形態において提供される情報伝送装置は、上記の技術的解決策のいずれかにおける基地局側の技術的解決策を実行するよう構成される。それらの実装原理および技術的効果は同様である。よって、ここで再び詳細を述べることはしない。
【０１９５】
さらに、情報伝送装置４０はさらに受信モジュール４３を含み、
前記処理モジュール４２がさらに：あらかじめ定義された時間‐周波数資源位置において、近傍セルの干渉信号強度を測定し、該強度を前記干渉強度として使うよう構成される；または
前記受信モジュール４３が、前記ユーザー装置によって送られたチャネル状態測定レポートを受信するよう構成され、前記チャネル状態測定レポートは下りリンク伝送の信号対雑音比を含み、前記処理モジュール４２がさらに、前記下りリンク伝送の信号対雑音比に基づいて前記干渉強度を取得するよう構成される；または
前記受信モジュール４３が：前記ユーザー装置によって送られたチャネル探測参照信号を受信し、前記チャネル探測参照信号に基づいて上りリンク伝送チャネル品質を測定して前記干渉強度を取得するよう構成される。
【０１９６】
この実施形態において提供される情報伝送装置は、上記の技術的解決策のいずれかにおける基地局側の技術的解決策を実行するよう構成される。それらの実装原理および技術的効果は同様である。よって、ここで再び詳細を述べることはしない。
【０１９７】
図１０は、本願に基づくユーザー装置の第一の実施形態の概略的な構造図である。図１１は、本願に基づく基地局の第一の実施形態の概略的な構造図である。図１０および図１１に示されるように、本願のこれらの実施形態において、情報伝送装置がユーザー装置５０であるとき、受信モジュールは図１０の受信器５１によって実装されてもよく、処理モジュールは図１０に示されるプロセッサ５２によって実装されてもよく、送信モジュールは図１０に示される送信器５３によって実装されてもよい。情報伝送装置が基地局６０であるとき、処理モジュールは図１１に示されるプロセッサ６１によって実装されてもよく、送信モジュールは図１１に示される送信器６２によって実装されてもよく、受信モジュールは図１１に示される受信器６３によって実装されてもよい。
【０１９８】
ある具体的実装では、前記ユーザー装置または前記基地局はさらに、コンピュータ・プログラムおよびメモリを含んでいてもよい。前記コンピュータ・プログラムは前記メモリに記憶され、前記プロセッサはUEの上記の追跡処理方法を低電力モードで実行するよう前記コンピュータ・プログラムを実行する。前記メモリに記憶された、実行命令、つまり前記コンピュータ・プログラムを実行するよう構成された少なくとも一つのプロセッサがある。このようにして、前記ユーザー装置は、通信インターフェースを使うことによって前記基地局とデータを交換し、上記の諸側面の各実装において提供される情報伝送方法を実行する。任意的に、前記メモリはさらに、前記プロセッサに統合されてもよい。
【０１９９】
本願はさらに、可読な記憶媒体およびコンピュータ・プログラムを含む記憶媒体を提供する。前記コンピュータ・プログラムは上記の実施形態のいずれかにおいて提供されるユーザー装置側の情報伝送方法を実装するために使われる。
【０２００】
本願はさらに、可読な記憶媒体およびコンピュータ・プログラムを含む記憶媒体を提供する。前記コンピュータ・プログラムは上記の実施形態のいずれかにおいて提供される基地局側の情報伝送方法を実装するために使われる。
【０２０１】
本願はさらに、プログラム・プロダクトを提供する。前記プログラム・プロダクトはコンピュータ・プログラム（つまり、実行命令）を含み、前記コンピュータ・プログラムは可読な記憶媒体に記憶される。ユーザー装置の少なくとも一つのプロセッサが前記コンピュータ・プログラムを前記可読な記憶媒体から読んでもよく、前記少なくとも一つのプロセッサが前記コンピュータ・プログラムを実行し、それにより前記ユーザー装置が、上記の諸実装において提供される情報伝送方法を実装する。
【０２０２】
本願はさらに、プログラム・プロダクトを提供する。前記プログラム・プロダクトはコンピュータ・プログラム（つまり、実行命令）を含み、前記コンピュータ・プログラムは可読な記憶媒体に記憶される。基地局の少なくとも一つのプロセッサが前記コンピュータ・プログラムを前記可読な記憶媒体から読んでもよく、前記少なくとも一つのプロセッサが前記コンピュータ・プログラムを実行し、それにより前記基地局が、上記の諸実装において提供される情報伝送方法を実装する。
【０２０３】
さらに、上記のユーザー装置および基地局の実施形態において、プロセッサは中央処理ユニット（英文：Central  Processing  Unit、略CPU）であってもよく、あるいは別の汎用プロセッサ、デジタル信号プロセッサ（英文：Digital  Signal  Processor、略DSP）、特定用途向け集積回路（英文：Application-Specific  Integrated  Circuit、略ASIC）などであってもよいことが理解されるべきである。前記汎用プロセッサはマイクロプロセッサであってもよく、前記プロセッサは任意の通常のプロセッサなどであってもよい。本願の実施形態を参照して開示される方法の段階は、ハードウェア・プロセッサによって直接実行されてもよく、あるいは前記プロセッサにおけるハードウェアおよびソフトウェア・モジュールの組み合わせを使って実行されてもよい。
【０２０４】
当業者は、方法実施形態の段階の全部または一部が、関連するハードウェアに命令するプログラムによって実装されうることを理解しうる。プログラムは、コンピュータ可読メモリに記憶されてもよい。プログラムが実行されるとき、方法実施形態の段階が実行される。メモリ（記憶媒体）は：読み出し専用メモリ（英文：read-only  memory、略ROM）、RAM、フラッシュメモリ、ハードディスク、ソリッドステートディスク、磁気テープ（英文：magnetic  tape）、フロッピーディスク（英文：floppy  disk）、光ディスク（英文：optical  disc）およびそれらの任意の組み合わせを含む。
【０２０５】
最後に、上記の実施形態は、本願を限定するのではなく、単に本願の技術的解決策を記述するために意図されていることを注意しておくべきである。
【図１ａ】
2019531039.tif 000007
【図１ｂ】
2019531039.tif 000008
【図２ａ】
2019531039.tif 000009
【図２ｂ】
2019531039.tif 000010
【図３】
2019531039.tif 000011
【図４ａ】
2019531039.tif 000012
【図４ｂ】
2019531039.tif 000013
【図５】
2019531039.tif 000014
【図６】
2019531039.tif 000015
【図７】
2019531039.tif 000016
【図８】
2019531039.tif 000017
【図９】
2019531039.tif 000018
【図１０】
2019531039.tif 000019
【図１１】
2019531039.tif 000020
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
情報伝送方法であって：
ユーザー装置によって、基地局からのシステム情報を受信する段階であって、前記システム情報は第一の構成情報を含み、前記第一の構成情報は固定下りリンクの時間‐周波数資源および固定上りリンクの時間‐周波数資源を示すために使われ、および／または、前記第一の構成情報は各単位時間‐周波数資源の型が限定されないことを示すために使われ、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、段階と；
前記ユーザー装置によって、前記第一の構成情報に従って、固定下りリンクの時間‐周波数資源で情報を取得する、または、前記ユーザー装置によって、前記第一の構成情報に従って、固定上りリンクの時間‐周波数資源で搬送されるよう情報を構成する段階とを含む、
方法。
【請求項２】
固定下りリンクの時間‐周波数資源または前記固定上りリンクの時間‐周波数資源が単位時間‐周波数資源の一つまたはいくつかの直交周波数分割多重（OFDM）シンボルであり、前記固定上りリンクの時間‐周波数資源または前記固定下りリンクの時間‐周波数資源のOFDMシンボルの数は前記単位時間‐周波数資源のOFDMシンボルの数より少ない、請求項１記載の方法。
【請求項３】
前記固定下りリンクの時間‐周波数資源は、時間領域において単位時間‐周波数資源の開始位置から始まる少なくとも一つのOFDMシンボルであり、前記固定上りリンクの時間‐周波数資源は、時間領域において単位時間‐周波数資源の終了位置で終わる少なくとも一つのOFDMシンボルである、請求項１または２記載の方法。
【請求項４】
当該方法が：
前記ユーザー装置によって、前記固定下りリンクの時間‐周波数資源で前記基地局からの下りリンク制御情報を受信する段階であって、前記下りリンク制御情報は、少なくとも一つの単位時間‐周波数資源の型を示すために使われる、段階と；
前記ユーザー装置によって、前記下りリンク制御情報に基づいて単位時間‐周波数資源の前記少なくとも一つのそれぞれのものの前記型を決定する段階とをさらに含み、
前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、
請求項１ないし３のうちいずれか一項記載の方法。
【請求項５】
当該方法が、前記ユーザー装置によって、下りリンク制御情報（DCI）に基づいて前記単位時間‐周波数資源の前記型を決定することをさらに含む、請求項１ないし３のうちいずれか一項記載の方法。
【請求項６】
前記単位時間‐周波数資源が、固定数のOFDMシンボルを含む、請求項１ないし５のうちいずれか一項記載の方法。
【請求項７】
情報伝送方法であって：
基地局によって、システム情報を取得する段階であって、前記システム情報は第一の構成情報を含み、前記第一の構成情報は固定下りリンクの時間‐周波数資源および固定上りリンクの時間‐周波数資源を示すために使われ、および／または、前記第一の構成情報は各単位時間‐周波数資源の型が限定されないことを示すために使われ、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、段階と；
固定下りリンクの時間‐周波数資源で情報を取得する、または、固定上りリンクの時間‐周波数資源で搬送されるよう情報を構成するよう、前記第一の構成情報に基づいてユーザー装置に命令するよう、前記基地局によって、前記システム情報を前記ユーザー装置に送る段階とを含む、
方法。
【請求項８】
前記固定下りリンクの時間‐周波数資源または前記固定上りリンクの時間‐周波数資源が単位時間‐周波数資源の一つまたはいくつかの直交周波数分割多重OFDMシンボルであり、前記固定上りリンクの時間‐周波数資源または前記固定下りリンクの時間‐周波数資源のOFDMシンボルの数は前記単位時間‐周波数資源のOFDMシンボルの数より少ない、請求項７記載の方法。
【請求項９】
前記固定下りリンクの時間‐周波数資源は、時間領域において単位時間‐周波数資源の開始位置から始まる少なくとも一つのOFDMシンボルであり、前記固定上りリンクの時間‐周波数資源は、時間領域において単位時間‐周波数資源の終了位置で終わる少なくとも一つのOFDMシンボルである、請求項７または８記載の方法。
【請求項１０】
当該方法がさらに：
前記基地局によって、前記固定下りリンクの時間‐周波数資源で前記ユーザー装置に下りリンク制御情報を送る段階を含み、前記下りリンク制御情報は前記少なくとも一つの単位時間‐周波数資源の前記型を示すために使われ、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、
請求項７ないし９のうちいずれか一項記載の方法。
【請求項１１】
当該方法が：
前記基地局によって、前記単位時間‐周波数資源の前記型を示す下りリンク制御情報（DCI）を前記ユーザー装置に送ることをさらに含む、請求項７ないし９のうちいずれか一項記載の方法。
【請求項１２】
前記単位時間‐周波数資源が、固定数のOFDMシンボルを含む、請求項７ないし１１のうちいずれか一項記載の方法。
【請求項１３】
情報伝送装置であって：
基地局からのシステム情報を受信するよう構成された受信モジュールであって、前記システム情報は第一の構成情報を含み、前記第一の構成情報は固定下りリンクの時間‐周波数資源および固定上りリンクの時間‐周波数資源を示すために使われ、および／または、前記第一の構成情報は各単位時間‐周波数資源の型が限定されないことを示すために使われ、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、受信モジュールと；
前記第一の構成情報に基づいて、固定下りリンクの時間‐周波数資源で情報を取得するまたは固定上りリンクの時間‐周波数資源で搬送されるよう情報を構成するよう構成された処理モジュールとを有する、
装置。
【請求項１４】
固定下りリンクの時間‐周波数資源または前記固定上りリンクの時間‐周波数資源が単位時間‐周波数資源の一つまたはいくつかの直交周波数分割多重（OFDM）シンボルであり、前記固定上りリンクの時間‐周波数資源または前記固定下りリンクの時間‐周波数資源のOFDMシンボルの数は前記単位時間‐周波数資源のOFDMシンボルの数より少ない、請求項１３記載の装置。
【請求項１５】
前記固定下りリンクの時間‐周波数資源は、時間領域において単位時間‐周波数資源の開始位置から始まる少なくとも一つのOFDMシンボルであり、前記固定上りリンクの時間‐周波数資源は、時間領域において単位時間‐周波数資源の終了位置で終わる少なくとも一つのOFDMシンボルである、請求項１３または１４記載の装置。
【請求項１６】
前記受信モジュールがさらに、前記固定下りリンクの時間‐周波数資源で前記基地局からの下りリンク制御情報を受信するよう構成され、前記下りリンク制御情報は、少なくとも一つの単位時間‐周波数資源の型を示すために使われ；
前記処理モジュールはさらに、前記下りリンク制御情報に基づいて単位時間‐周波数資源の前記少なくとも一つのそれぞれのものの前記型を決定するよう構成され、
前記単位時間‐周波数資源の前記型は：前記上りリンク情報を送るために使われる前記単位時間‐周波数資源、前記下りリンク情報を受信するために使われる前記単位時間‐周波数資源または前記上りリンク情報を送り前記下りリンク情報を受信するために使われる前記単位時間‐周波数資源を含む、
請求項１３ないし１５のうちいずれか一項記載の装置。
【請求項１７】
前記処理モジュールがさらに：
下りリンク制御情報（DCI）に基づいて前記単位時間‐周波数資源の前記型を決定するよう構成される、請求項１３ないし１５のうちいずれか一項記載の装置。
【請求項１８】
前記単位時間‐周波数資源が、固定数のOFDMシンボルを含む、請求項１３ないし１７のうちいずれか一項記載の装置。
【請求項１９】
情報伝送装置であって：
システム情報を取得するよう構成された処理モジュールであって、前記システム情報は第一の構成情報を含み、前記第一の構成情報は固定下りリンクの時間‐周波数資源および固定上りリンクの時間‐周波数資源を示すために使われ、および／または、前記第一の構成情報は各単位時間‐周波数資源の型が限定されないことを示すために使われ、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、処理モジュールと；
固定下りリンクの時間‐周波数資源で情報を取得する、または、固定上りリンクの時間‐周波数資源で搬送されるよう情報を構成するよう、前記第一の構成情報に基づいてユーザー装置に命令するよう、前記システム情報をユーザー装置に送るよう構成された送信モジュールとを有する、
装置。
【請求項２０】
前記固定下りリンクの時間‐周波数資源または前記固定上りリンクの時間‐周波数資源が単位時間‐周波数資源の一つまたはいくつかの直交周波数分割多重OFDMシンボルであり、前記固定上りリンクの時間‐周波数資源または前記固定下りリンクの時間‐周波数資源のOFDMシンボルの数は前記単位時間‐周波数資源のOFDMシンボルの数より少ない、請求項１９記載の装置。
【請求項２１】
前記固定下りリンクの時間‐周波数資源は、時間領域において単位時間‐周波数資源の開始位置から始まる少なくとも一つのOFDMシンボルであり、前記固定上りリンクの時間‐周波数資源は、時間領域において単位時間‐周波数資源の終了位置で終わる少なくとも一つのOFDMシンボルである、請求項１９または２０記載の装置。
【請求項２２】
前記送信モジュールがさらに、前記固定下りリンクの時間‐周波数資源で前記ユーザー装置に下りリンク制御情報を送るよう構成され、前記下りリンク制御情報は前記少なくとも一つの単位時間‐周波数資源の前記型を示すために使われ、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、請求項１９ないし２１のうちいずれか一項記載の装置。
【請求項２３】
前記送信モジュールがさらに、前記単位時間‐周波数資源の前記型を示す下りリンク制御情報（DCI）を前記ユーザー装置に送るよう構成される、請求項１９ないし２１のうちいずれか一項記載の装置。
【請求項２４】
前記単位時間‐周波数資源が、固定数のOFDMシンボルを含む、請求項１９ないし２３のうちいずれか一項記載の装置。
【請求項２５】
情報伝送装置であって：
基地局からのシステム情報を受信するよう構成された受信器であって、前記システム情報は第一の構成情報を含み、前記第一の構成情報は固定下りリンクの時間‐周波数資源および固定上りリンクの時間‐周波数資源を示すために使われ、および／または、前記第一の構成情報は各単位時間‐周波数資源の型が限定されないことを示すために使われ、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、受信器と；
前記第一の構成情報に基づいて、固定下りリンクの時間‐周波数資源で情報を取得する、または、固定上りリンクの時間‐周波数資源で搬送されるよう情報を構成するよう構成されたプロセッサとを有する、
装置。
【請求項２６】
情報伝送装置であって：
システム情報を取得するよう構成されたプロセッサであって、前記システム情報は第一の構成情報を含み、前記第一の構成情報は固定下りリンクの時間‐周波数資源および固定上りリンクの時間‐周波数資源を示すために使われ、および／または、前記第一の構成情報は各単位時間‐周波数資源の型が限定されないことを示すために使われ、前記型は、上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、プロセッサと；
固定下りリンクの時間‐周波数資源で情報を取得する、または、固定上りリンクの時間‐周波数資源で搬送されるよう情報を構成するよう、前記第一の構成情報に基づいてユーザー装置に命令するよう、前記システム情報を前記ユーザー装置に送るよう構成された送信器とを有する、
装置。
【請求項２７】
情報伝送方法であって：
ユーザー装置によって、基地局からのシステム情報を受信する段階であって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、段階と；
前記ユーザー装置によって、前記第二の構成情報に基づいて前記基地局と情報を交換する段階とを含む、
方法。
【請求項２８】
当該方法がさらに：
前記ユーザー装置によって、前記基地局からの、第一の構成情報を含むシステム情報を受信する段階であって、前記第一の構成情報は、固定下りリンクの時間‐周波数資源および固定上りリンクの時間‐周波数資源を示すために使われる、段階と；
前記第一の構成情報に基づいて、前記ユーザー装置によって、前記固定下りリンクの時間‐周波数資源で情報を取得するまたは前記固定上りリンクの時間‐周波数資源で搬送されるよう情報を構成する段階とを含む、
請求項２７記載の方法。
【請求項２９】
前記ユーザー装置によって、前記基地局からの、第一の構成情報を含むシステム情報を受信する前記段階の前に、当該方法がさらに：
前記ユーザー装置によって、チャネル状態測定レポートを前記基地局に送る段階を含み、前記チャネル状態測定レポートは下りリンク信号の信号対雑音比を含む、
請求項２８記載の方法。
【請求項３０】
情報伝送方法であって：
基地局によって、ユーザー装置にシステム情報を送る段階であって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、段階と；
前記基地局によって、前記第二の構成情報に基づいて前記ユーザー装置と情報を交換する段階とを含む、
方法。
【請求項３１】
当該方法がさらに：
前記基地局によって、干渉強度を取得する段階であって、前記干渉強度は、前記基地局の上りリンクまたは下りリンク伝送への近傍セル信号の干渉の度合いを示すために使われる、段階と；
前記干渉強度が、事前設定された干渉強度閾値より小さいときは、前記基地局によって、第一の構成情報を含むシステム情報を前記ユーザー装置に送る段階とを含み、前記第一の構成情報は、固定下りリンクの時間‐周波数資源および固定上りリンクの時間‐周波数資源を示すために使われる、
請求項３０記載の方法。
【請求項３２】
前記基地局によって、干渉強度を取得する前記段階は：
前記基地局によって、あらかじめ定義された時間‐周波数資源位置において、近傍セルの干渉信号強度を測定し、該強度を前記干渉強度として使うこと；または
前記基地局によって、前記ユーザー装置からのチャネル状態測定レポートを受信することであって、前記チャネル状態測定レポートは下りリンク伝送の信号対雑音比を含む、ことと；および
前記基地局によって、前記下りリンク伝送の信号対雑音比に基づいて前記干渉強度を取得すること；または
前記基地局によって、前記ユーザー装置からのチャネル探測参照信号を受信し、前記チャネル探測参照信号に基づいて上りリンク伝送チャネル品質を測定して前記干渉強度を取得することを含む、
請求項３１記載の方法。
【請求項３３】
情報伝送装置であって：
基地局からのシステム情報を受信するよう構成された受信モジュールであって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、受信モジュールと；
前記第二の構成情報に基づいて前記基地局と情報を交換するよう当該情報伝送装置を制御するよう構成された処理モジュールとを含む、
装置。
【請求項３４】
前記受信モジュールがさらに、前記基地局からの、第一の構成情報を含むシステム情報を受信するよう構成され、前記第一の構成情報は、固定下りリンクの時間‐周波数資源および固定上りリンクの時間‐周波数資源を示すために使われ；
前記処理モジュールはさらに、前記第一の構成情報に基づいて、前記固定下りリンクの時間‐周波数資源で情報を取得するまたは前記固定上りリンクの時間‐周波数資源で搬送されるよう情報を構成するよう構成される、
請求項３３記載の装置。
【請求項３５】
当該装置がさらに、チャネル状態測定レポートを前記基地局に送るよう構成された送信モジュールを有し、前記チャネル状態測定レポートは下りリンク信号の信号対雑音比を含む、請求項３４記載の装置。
【請求項３６】
情報伝送装置であって：
ユーザー装置にシステム情報を送るよう構成された送信モジュールであって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の前記型は：上りリンク情報を送るために使われる前記単位時間‐周波数資源、下りリンク情報を受信するために使われる前記単位時間‐周波数資源または上りリンク情報を送り下りリンク情報を受信するために使われる前記単位時間‐周波数資源を含む、送信モジュールと；
前記第二の構成情報に基づいて前記ユーザー装置と情報を交換するよう当該情報伝送装置を制御するよう構成された処理モジュールとを有する、
装置。
【請求項３７】
前記処理モジュールがさらに、干渉強度を取得するよう構成され、前記干渉強度は、基地局の上りリンクまたは下りリンク伝送への近傍セル信号の干渉の度合いを示すために使われ；
前記処理モジュールが、前記干渉強度が、事前設定された干渉強度閾値より小さいことを判別するとき、前記送信モジュールはさらに、第一の構成情報を含むシステム情報を前記ユーザー装置に送るよう構成され、前記第一の構成情報は、固定下りリンクの時間‐周波数資源および固定上りリンクの時間‐周波数資源を示すために使われる、
請求項３６記載の装置。
【請求項３８】
当該装置がさらに受信モジュールを有し、
前記処理モジュールがさらに：あらかじめ定義された時間‐周波数資源位置において、近傍セルの干渉信号強度を測定し、該強度を前記干渉強度として使うよう構成される；または
前記受信モジュールが、前記ユーザー装置からのチャネル状態測定レポートを受信するよう構成され、前記チャネル状態測定レポートは下りリンク伝送の信号対雑音比を含み、前記処理モジュールがさらに、前記下りリンク伝送の信号対雑音比に基づいて前記干渉強度を取得するよう構成される；または
前記受信モジュールが：前記ユーザー装置からのチャネル探測参照信号を受信し、前記チャネル探測参照信号に基づいて上りリンク伝送チャネル品質を測定して前記干渉強度を取得するよう構成される、
請求項３７記載の装置。
【請求項３９】
命令が記録されているコンピュータ可読記憶媒体であって、前記命令はコンピュータに請求項１ないし６のうちいずれか一項記載の方法または請求項２７ないし２９のうちいずれか一項記載の方法を実装させるものである、コンピュータ可読記憶媒体。
【請求項４０】
命令が記録されているコンピュータ可読記憶媒体であって、前記命令はコンピュータに請求項７ないし１２のうちいずれか一項記載の方法または請求項３０ないし３２のうちいずれか一項記載の方法を実装させるものである、コンピュータ可読記憶媒体。
【請求項４１】
コンピュータに請求項１ないし６のうちいずれか一項記載の方法または請求項２７ないし２９のうちいずれか一項記載の方法を実装させるプログラム。
【請求項４２】
コンピュータに請求項７ないし１２のうちいずれか一項記載の方法または請求項３０ないし３２のうちいずれか一項記載の方法を実装させるプログラム。

【手続補正２】
【補正対象書類名】明細書
【補正対象項目名】全文
【補正方法】変更
【補正の内容】
【発明の詳細な説明】
【技術分野】
【０００１】
関連出願への相互参照
本願は、2016年9月28日に中国特許庁に出願された、「情報伝送方法および装置」と題する中国特許出願第201610860638.1号の優先権を主張するものである。同出願はここに参照によってその全体において組み込まれる。
【０００２】
技術分野
本願の実施形態はインターネット技術に関し、詳細には情報伝送方法および装置に関する。
【背景技術】
【０００３】
第三世代パートナーシッププロジェクト（英文：3rd  Generation  Partnership  Project、略3GPP）によって定式化されたロングタームエボリューション（英文：Long  Term  Evolution、略LTE）システム規格は、第四世代の無線アクセス・システム規格と考えられる。第四世代の無線アクセス・システム規格は時分割複信（英文：Time  Division  Duplex、略TDD）アクセス様式を含む。第五世代の無線アクセス・システムもTDDアクセス様式をサポートし続ける。
【０００４】
たとえば、LTEシステムにおいて、TDDアクセス様式のために三つのサブフレーム型が定義されている：下りリンク・サブフレーム、上りリンク・サブフレームおよび特別なサブフレームである。無線フレームについて、サブフレーム構成様式は、規格において、これら三つのサブフレーム型に基づいて規定されている。10個のサブフレームを含む無線フレームが例として使われる。表１に示されるように、全部で七つの可能なサブフレーム組み合わせ型が含まれる。
【表１】
2019531039.tif 000021
【０００５】
表１において、Dは下りリンク・サブフレームを表わし、Uは上りリンク・サブフレームを表わし、Sは特別なサブフレームを表わす。表１から、各無線フレームにおいて、サブフレーム0およびサブフレーム5は下りリンク・サブフレームとして定義されていて、上りリンク／下りリンク構成型とともに変わらないことがわかる。ユーザー装置は、該情報に基づいて、サブフレーム0およびサブフレーム5全体における資源がすべて下りリンク伝送資源であることを判別しうる。よって、ユーザー装置は好ましくは、何らかのシステム情報を得る前にこれら二つのサブフレームにおいて制御チャネルを検出し、システムにアクセスするために基本的なシステム情報を取得する。サブフレーム5においてシステム情報を取得した後、ユーザー装置は無線フレーム全体の時間‐周波数資源構成様式を判別し、ユーザー装置はさらに、該構成様式に基づいて、下りリンク参照信号が検出され、上りリンク・トリガー信号が送られる特定の資源位置を判別しうる。次いで、ユーザー装置は、上りリンク資源位置において対応する信号を送るまたは下りリンク資源位置において対応する信号を検出して、効率的にシステムにアクセスしうる。
【０００６】
ユーザー装置は、上記のTDDアクセス様式で上りリンク／下りリンク資源構成型を使うことによってシステムにアクセスできる。しかしながら、表１に示される上りリンク／下りリンク資源構成型はあらかじめ定義されている。その結果、上りリンク‐下りリンク・サービス比が前記あらかじめ定義された上りリンク／下りリンク資源構成型にマッチしないときは、時間‐周波数資源の無駄がある。たとえば、下りリンク・サービスがほとんどないが多数の上りリンク・サービスがあるときに表１における構成2の様式が使われる。換言すれば、上りリンク時間‐周波数資源が下りリンク時間‐周波数資源より少ないとき、リザーブされている下りリンク時間‐周波数資源でサービスが搬送されない。その代わり、多くのサービスが少数のリザーブされている上りリンク時間‐周波数資源で搬送される。この場合、上りリンク‐下りリンク資源構成比を変更するよう、すなわちサブフレーム構成型を変更するよう命令するためにシステム情報が使われれば、応答時間が過度に長くなる。その結果、動的な資源変更がサービス変化にマッチするのが間に合わず、結果的に上りリンク・サービス遅延が増大し、サービス品質が低下する。
【発明の概要】
【０００７】
本願の実施形態は、次の問題を解決するための情報伝送方法および装置を提供する：上記のTDDアクセス様式が使われるとき、上りリンク‐下りリンク資源構成比を変更するよう、すなわちサブフレーム構成型を変更するよう命令するためにシステム情報が使われれば、応答時間が過度に長くなり、その結果、動的な資源変更がサービス変化にマッチするのが間に合わず、結果的に上りリンク・サービス遅延が増大し、サービス品質が低下する。
【０００８】
本願の第一の側面は、情報伝送方法であって：
ユーザー装置によって、基地局によって送られたシステム情報を受信する段階であって、前記システム情報は、固定下りリンクの時間‐周波数資源および固定上りリンクの時間‐周波数資源を示すために使われる第一の構成情報を含む、段階と；
前記第一の構成情報に基づいて、前記ユーザー装置によって、前記固定下りリンクの時間‐周波数資源で情報を取得するまたは前記固定上りリンクの時間‐周波数資源で搬送されるよう情報を構成する段階とを含む、
方法を提供する。
【０００９】
この解決策では、固定上りリンクの時間‐周波数資源または固定下りリンクの時間‐周波数資源は、単位時間‐周波数資源の一つまたはいくつかのOFDMシンボルである。固定上りリンクの時間‐周波数資源または固定下りリンクの時間‐周波数資源のOFDMシンボルの数は、単位時間‐周波数資源のOFDMシンボルの数より少なく、単位時間‐周波数資源のOFDMシンボルの数は固定である。単位時間‐周波数資源は、一つまたは複数の最小のスケジューリング単位であってもよく、特定的に限定はされない。この解決策では、各単位時間‐周波数資源の型は限定されない。
【００１０】
基地局は、固定した上りリンクおよび下りリンクの時間‐周波数資源を、前記システム情報における前記第一の構成情報を使うことによって示すが、単位時間‐周波数資源の特定の型は示さない。基地局は、その後の情報伝送プロセスにおいて、各単位時間‐周波数資源の型を動的に構成してもよい。換言すれば、最小単位上りリンク／下りリンク時間‐周波数資源の動的な変更をサポートしてもよい。これは、上りリンク‐下りリンク・サービス比があらかじめ定義された上りリンク／下りリンク資源構成型にマッチしないときの時間‐周波数資源の無駄を回避する。さらに、基地局は上りリンク‐下りリンク資源構成比をあらかじめ定義せず、その後、サービス状態に基づいて上りリンク‐下りリンクの時間‐周波数資源の比を動的に構成しうる。これは、ユーザー装置の比較的低いアクセス遅延を保証し、時間‐周波数資源を動的に迅速に変更し、サービス品質を改善する。
【００１１】
具体的には、前記第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００１２】
この解決策では、前記第一の構成情報は、単位時間‐周波数資源の前記一つまたはいくつかのOFDMシンボルの伝送方向のみを示し、各単位時間‐周波数資源の型は限定されないことを示す；単位時間‐周波数資源の型は、その後の伝送プロセスにおいて下りリンク制御情報に基づいて具体的に示されてもよい。
【００１３】
基地局によって送られ、第一の構成情報を含むシステム情報を受信した後、本方法はさらに：
前記ユーザー装置によって、前記固定上りリンクの時間‐周波数資源に基づいて情報を前記基地局に送る段階；および／または
前記ユーザー装置によって、前記基地局によって送られた情報を、前記固定下りリンクの時間‐周波数資源に基づいて受信する段階を含む。
【００１４】
任意的に、本方法はさらに：
前記ユーザー装置によって、前記固定下りリンクの時間‐周波数資源で前記基地局によって送られた下りリンク制御情報を受信する段階であって、前記下りリンク制御情報は、少なくとも一つの単位時間‐周波数資源の型を示すために使われる、段階と；
前記ユーザー装置によって、前記下りリンク制御情報に基づいて各単位時間‐周波数資源の型を決定する段階とを含み、
前記単位時間‐周波数資源は固定数のOFDMシンボルを含み、単位時間‐周波数資源の型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００１５】
たとえば、サブフレームが単位時間‐周波数資源である。ここでの単位時間‐周波数資源の型は：上りリンク・サブフレーム、すなわち、上りリンク情報を送るために使われる単位時間‐周波数資源；下りリンク・サブフレーム、すなわち、下りリンク情報を受信するために使われる単位時間‐周波数資源；および主な上りリンク・サブフレームまたは主な下りリンク・サブフレーム、すなわち、上りリンク情報を送ることおよび下りリンク情報を受信することのために使われる単位時間‐周波数資源を含む。
【００１６】
上記の解決策のいずれか一つに基づいて、固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。たとえば、固定上りリンクの時間‐周波数資源はサブフレームの最後の一つまたは二つのOFDMシンボルであり、固定下りリンクの時間‐周波数資源はサブフレームの最初の一つまたは二つのOFDMシンボルである。
【００１７】
上記の解決策のいずれかに基づいて、本方法はさらに：
前記ユーザー装置によって、基地局によって送られた、第二の構成情報を含むシステム情報を受信する段階であって、前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００１８】
前記ユーザー装置によって、基地局によって送られた、第二の構成情報を含むシステム情報を受信する前記段階の前に、本方法はさらに：
前記ユーザー装置によって、チャネル状態測定レポートを前記基地局に送ることを含み、前記チャネル状態測定レポートは下りリンク信号の信号対雑音比を含む。
【００１９】
上記の解決策の意味は、基地局が固定上りリンクの時間‐周波数資源および固定下りリンクの時間‐周波数資源を、前記システム情報を使うことによって示し、その後、動的指示様式で、各単位時間‐周波数資源の型を決定するということである。
【００２０】
基地局は、前記信号対雑音比に基づいてリアルタイムで干渉強度を取得し、信号伝送プロセスにおける該干渉強度に基づいて、動的TDD様式を使い続けるかどうかを決定してもよい。干渉が比較的に強い場合、基地局は、各単位時間‐周波数資源の型を直接示すために前記第二の構成情報を含む前記システム情報をさらに送ってもよい。動的なTDDシステムと半持続的なTDDシステムとの間で柔軟な切り換えが実行されることができる。システム負荷が比較的高いまたは干渉が比較的強いときは、半持続的なTDDシステムが使用される。これは事実上、システム・パフォーマンスを保証する。
【００２１】
本願の第二の側面は、情報伝送方法であって：
基地局によって、システム情報を取得する段階であって、前記システム情報は、固定下りリンクの時間‐周波数資源および固定上りリンクの時間‐周波数資源を示すために使われる第一の構成情報を含む、段階と；
前記第一の構成情報に基づいて、ユーザー装置が、前記固定下りリンクの時間‐周波数資源で情報を取得するまたは前記固定上りリンクの時間‐周波数資源で搬送されるよう情報を構成するよう、前記基地局によって、前記システム情報をユーザー装置に送る段階とを含む、
方法を提供する。
【００２２】
第一の側面において提供された解決策と同様に、固定上りリンクの時間‐周波数資源または固定下りリンクの時間‐周波数資源は、単位時間‐周波数資源の一つまたはいくつかのOFDMシンボルである。固定上りリンクの時間‐周波数資源または固定下りリンクの時間‐周波数資源のOFDMシンボルの数は、単位時間‐周波数資源のOFDMシンボルの数より少ない。
【００２３】
具体的には、前記第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００２４】
この解決策では、前記第一の構成情報は、単位時間‐周波数資源の前記一つまたはいくつかのOFDMシンボルの伝送方向のみを示し、各単位時間‐周波数資源の型は限定されないことを示す；基地局は、単位時間‐周波数資源の型を、その後の伝送プロセスにおいて下りリンク制御情報を使うことによって具体的に示す。
【００２５】
さらに本方法は：
前記基地局によって、前記固定上りリンクの時間‐周波数資源で前記ユーザー装置によって送られた情報を受信する段階；および／または
前記基地局によって、前記固定下りリンクの時間‐周波数資源で前記ユーザー装置に情報を送る段階をさらに含む。
【００２６】
上記の解決策のいずれかに基づいて、本方法はさらに：
前記基地局によって、前記固定下りリンクの時間‐周波数資源で前記ユーザー装置に下りリンク制御情報を送って、前記ユーザー装置が前記下りリンク制御情報に基づいて少なくとも一つの単位時間‐周波数資源の型を決定するようにする段階を含み、前記下りリンク制御情報は前記少なくとも一つの単位時間‐周波数資源の型を示すために使われ、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００２７】
ある具体的実装では、固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【００２８】
さらに、本方法はさらに：
前記基地局によって、干渉強度を取得する段階であって、前記干渉強度は、前記基地局の上りリンクまたは下りリンク伝送への近傍セル信号の干渉の度合いを示すために使われる、段階と；
前記干渉強度が、事前設定された干渉強度閾値より大きいときは、前記基地局によって、第二の構成情報を含むシステム情報を前記ユーザー装置に送る段階とを含み、前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００２９】
この解決策では、基地局は固定上りリンクの時間‐周波数資源および固定下りリンクの時間‐周波数資源を、前記システム情報を使うことによって示す。その後、動的指示様式で、各単位時間‐周波数資源の型を決定した後に、基地局は、信号対雑音比に基づいてリアルタイムで前記干渉強度を取得し、信号伝送プロセスにおける該干渉強度に基づいて、動的TDD様式を使い続けるかどうかを決定してもよい。干渉が比較的に強い場合、基地局は、前記第二の構成情報を含む前記システム情報をさらに送ることによって、各単位時間‐周波数資源の型を直接示してもよい。
【００３０】
任意的に、前記基地局によって、干渉強度を取得する段階は：
前記基地局によって、あらかじめ定義された時間‐周波数資源位置において、近傍セルの干渉信号強度を測定し、該強度を前記干渉強度として使うこと；または
前記基地局によって、前記ユーザー装置によって送られたチャネル状態測定レポートを受信することであって、前記チャネル状態測定レポートは下りリンク信号の信号対雑音比を含む、ことと；および
前記基地局によって、前記下りリンク信号の信号対雑音比に基づいて前記干渉強度を取得すること；または
前記基地局によって、前記ユーザー装置によって送られたチャネル探測参照信号を受信し、前記チャネル探測参照信号に基づいて上りリンク伝送チャネル品質を測定して前記干渉強度を取得することを含む。
【００３１】
本願の第三の側面は、情報伝送方法であって：
ユーザー装置によって、基地局によって送られたシステム情報を受信する段階であって、前記システム情報は、各単位時間‐周波数資源の型を示すために使われる第二の構成情報を含み、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、段階と；
前記ユーザー装置によって、前記第二の構成情報に基づいて前記基地局と情報を交換する段階とを含む、
方法を提供する。
【００３２】
この解決策では、ユーザー装置は基地局によって送られた、第二の構成情報を含むシステム情報を受信する。換言すれば、基地局は、システム情報を使うことによって各単位時間‐周波数資源の型を示す。固定した上りリンクおよび下りリンクの伝送資源がシンボルによって示される第一の側面における解決策と異なり、第二の構成情報は、各単位時間‐周波数資源の型を示す。具体的には、ユーザー装置は、第二の構成情報に基づいて各単位時間‐周波数資源の型を判別し、対応する資源で情報を伝送しうる。たとえば、ユーザー装置は前記上りリンク時間‐周波数資源で上りリンク情報および／または上りリンク信号を送る、あるいはユーザー装置は前記下りリンク時間‐周波数資源で下りリンク情報および／または下りリンク信号を受信する。
【００３３】
上記の解決策に基づき、本方法は：
前記ユーザー装置によって、前記基地局によって送られた、第一の構成情報を含むシステム情報を受信する段階であって、前記第一の構成情報は、固定下りリンクの時間‐周波数資源および固定上りリンクの時間‐周波数資源を示すために使われる、段階と；
前記第一の構成情報に基づいて、前記ユーザー装置によって、前記固定下りリンクの時間‐周波数資源で搬送される情報を取得するまたは前記固定上りリンクの時間‐周波数資源で搬送されるよう情報を構成する段階とをさらに含む。
【００３４】
任意的に、前記ユーザー装置によって、前記基地局によって送られた、第一の構成情報を含むシステム情報を受信する前記段階の前に、本方法はさらに：
前記ユーザー装置によって、チャネル状態測定レポートを前記基地局に送ることを含み、前記チャネル状態測定レポートは下りリンク信号の信号対雑音比を含む。
【００３５】
前記第二の構成情報を使うことによって各単位時間‐周波数資源の型が直接示されることに基づいて、前記基地局は、リアルタイムで干渉強度を取得し、次いで、該干渉強度に基づいて、動的に型を決定する様式を使うかどうかを決定する。基地局が型を動的に決定する様式を使うと決定する場合、基地局はさらに、前記システム情報を使うことによって前記第一の構成情報を前記ユーザー装置に送って、固定上りリンクの時間‐周波数資源および固定下りリンクの時間‐周波数資源を示し、各単位時間‐周波数資源の型が限定されないことを示すとともに、その後、下りリンク制御情報を使うことによって各単位時間‐周波数資源の型を示してもよい。
【００３６】
本願の第四の側面は、情報伝送方法であって：
基地局によって、ユーザー装置にシステム情報を送る段階であって、前記システム情報は、各単位時間‐周波数資源の型を示すために使われる第二の構成情報を含み、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、段階と；
前記基地局によって、前記第二の構成情報に基づいて前記ユーザー装置と情報を交換する段階とを含む、
方法を提供する。
【００３７】
任意的に、本方法はさらに：
前記基地局によって、干渉強度を取得する段階であって、前記干渉強度は、前記基地局の上りリンクまたは下りリンク伝送への近傍セル信号の干渉の度合いを示すために使われる、段階と；
前記干渉強度が、事前設定された干渉強度閾値より小さいときは、前記基地局によって、第一の構成情報を含むシステム情報を前記ユーザー装置に送る段階とを含み、前記第一の構成情報は、固定下りリンクの時間‐周波数資源および固定上りリンクの時間‐周波数資源を示すために使われる。
【００３８】
任意的に、前記基地局によって、干渉強度を取得する段階は：
前記基地局によって、あらかじめ定義された時間‐周波数資源位置において、近傍セルの干渉信号強度を測定し、該強度を前記干渉強度として使うこと；または
前記基地局によって、前記ユーザー装置によって送られたチャネル状態測定レポートを受信することであって、前記チャネル状態測定レポートは下りリンク伝送の信号対雑音比を含む、ことと；および
前記基地局によって、前記下りリンク伝送の信号対雑音比に基づいて前記干渉強度を取得すること；または
前記基地局によって、前記ユーザー装置によって送られたチャネル探測参照信号を受信し、前記チャネル探測参照信号に基づいて上りリンク伝送チャネル品質を測定して前記干渉強度を取得することを含む。
【００３９】
本願の第五の側面は、情報伝送装置であって：
基地局によって送られたシステム情報を受信するよう構成された受信モジュールであって、前記システム情報は、固定下りリンクの時間‐周波数資源および固定上りリンクの時間‐周波数資源を示すために使われる第一の構成情報を含む、受信モジュールと；
前記第一の構成情報に基づいて、前記固定下りリンクの時間‐周波数資源で情報を取得するまたは前記固定上りリンクの時間‐周波数資源で搬送されるよう情報を構成するよう構成された処理モジュールとを含む、
装置を提供する。
【００４０】
任意的に、前記受信モジュールによって受信される前記第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００４１】
任意的に、本装置はさらに送信モジュールを含み、
前記送信モジュールが、前記固定上りリンクの時間‐周波数資源に基づいて情報を前記基地局に送るよう構成される；および／または
前記受信モジュールがさらに、前記基地局によって送られた情報を、前記固定下りリンクの時間‐周波数資源に基づいて、受信するよう構成される。
【００４２】
任意的に、前記受信モジュールはさらに、前記固定下りリンクの時間‐周波数資源で前記基地局によって送られた下りリンク制御情報を受信するよう構成され、前記下りリンク制御情報は、少なくとも一つの単位時間‐周波数資源の型を示すために使われ；
前記処理モジュールはさらに、前記下りリンク制御情報に基づいて各単位時間‐周波数資源の型を決定するよう構成される。
【００４３】
前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００４４】
任意的に、前記受信モジュールによって受信される前記第一の構成情報によって示される固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【００４５】
任意的に、前記受信モジュールはさらに、前記基地局によって送られた、第二の構成情報を含むシステム情報を受信するよう構成され、前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００４６】
任意的に、前記送信モジュールはさらに、チャネル状態測定レポートを前記基地局に送るよう構成され、前記チャネル状態測定レポートは下りリンク信号の信号対雑音比を含む。
【００４７】
この第五の側面において提供される情報伝送装置は具体的にはユーザー装置として実装されてもよく、前記受信モジュールは受信器として実装されてもよく、前記送信モジュールは送信器として実装されてもよく、前記処理モジュールはプロセッサとして実装されてもよく、前記ユーザー装置はプログラム・コードを記憶しうるメモリを含む。
【００４８】
本願の第六の側面は、情報伝送装置であって：
システム情報を取得するよう構成された処理モジュールであって、前記システム情報は、固定下りリンクの時間‐周波数資源および固定上りリンクの時間‐周波数資源を示すために使われる第一の構成情報を含む、処理モジュールと；
前記第一の構成情報に基づいて、ユーザー装置が、前記固定下りリンクの時間‐周波数資源で情報を取得するまたは前記固定上りリンクの時間‐周波数資源で搬送されるよう情報を構成するよう、前記システム情報をユーザー装置に送るよう構成された送信モジュールとを含む、
装置を提供する。
【００４９】
任意的に、前記処理モジュールによって取得される前記第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００５０】
任意的に、本装置はさらに受信モジュールを含み、
前記受信モジュールが、前記固定上りリンクの時間‐周波数資源で前記ユーザー装置によって送られた情報を受信するよう構成される；および／または
前記送信モジュールが、前記固定下りリンクの時間‐周波数資源で前記ユーザー装置に情報を送るようさらに構成される。
【００５１】
任意的に、前記送信モジュールは、前記固定下りリンクの時間‐周波数資源で前記ユーザー装置に下りリンク制御情報を送るようさらに構成され、それにより、前記ユーザー装置が前記下りリンク制御情報に基づいて少なくとも一つの単位時間‐周波数資源の型を決定する。前記下りリンク制御情報は前記少なくとも一つの単位時間‐周波数資源の型を示すために使われ、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００５２】
任意的に、固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【００５３】
任意的に、前記処理モジュールはさらに、干渉強度を取得するよう構成され、前記干渉強度は、基地局の上りリンクまたは下りリンク伝送への近傍セル信号の干渉の度合いを示すために使われ；
前記処理モジュールが前記干渉強度が、事前設定された干渉強度閾値より大きいことを判別するとき、前記送信モジュールはさらに、第二の構成情報を含むシステム情報を前記ユーザー装置に送るよう構成され、前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【００５４】
任意的に、前記処理モジュールが具体的に：あらかじめ定義された時間‐周波数資源位置において、近傍セルの干渉信号強度を測定し、該強度を前記干渉強度として使うよう構成される；または
前記受信モジュールがさらに、前記ユーザー装置によって送られたチャネル状態測定レポートを受信するよう構成され、前記チャネル状態測定レポートは下りリンク信号の信号対雑音比を含み、前記処理モジュールがさらに、前記下りリンク信号の信号対雑音比に基づいて前記干渉強度を取得するよう構成される；または
前記受信モジュールがさらに：前記ユーザー装置によって送られたチャネル探測参照信号を受信し、前記チャネル探測参照信号に基づいて上りリンク伝送チャネル品質を測定して前記干渉強度を取得するよう構成される。
【００５５】
この第六の側面において提供される情報伝送装置は具体的には基地局として実装されてもよく、前記受信モジュールは受信器として実装されてもよく、前記送信モジュールは送信器として実装されてもよく、前記処理モジュールはプロセッサとして実装されてもよく、前記基地局はプログラム・コードを記憶しうるメモリを含む。
【００５６】
本願の第七の側面は、情報伝送装置であって：
基地局によって送られたシステム情報を受信するよう構成された受信モジュールであって、前記システム情報は、各単位時間‐周波数資源の型を示すために使われる第二の構成情報を含み、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、受信モジュールと；
前記第二の構成情報に基づいて前記基地局と情報を交換するよう当該情報伝送装置を制御するよう構成された処理モジュールとを含む、
装置を提供する。
【００５７】
任意的に、前記受信モジュールはさらに、前記基地局によって送られた、第一の構成情報を含むシステム情報を受信するよう構成され、前記第一の構成情報は、固定下りリンクの時間‐周波数資源および固定上りリンクの時間‐周波数資源を示すために使われ；
前記処理モジュールはさらに、前記第一の構成情報に基づいて、前記固定下りリンクの時間‐周波数資源で情報を取得するまたは前記固定上りリンクの時間‐周波数資源で搬送されるよう情報を構成するよう構成される。
【００５８】
任意的に、本装置はさらに、チャネル状態測定レポートを前記基地局に送るよう構成された送信モジュールを含み、前記チャネル状態測定レポートは下りリンク信号の信号対雑音比を含む。
【００５９】
この第七の側面において提供される情報伝送装置は具体的にはユーザー装置として実装されてもよく、前記受信モジュールは受信器として実装されてもよく、前記送信モジュールは送信器として実装されてもよく、前記処理モジュールはプロセッサとして実装されてもよく、前記ユーザー装置はプログラム・コードを記憶しうるメモリを含む。
【００６０】
本願の第八の側面は、情報伝送装置であって：
ユーザー装置にシステム情報を送るよう構成された送信モジュールであって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、送信モジュールと；
前記第二の構成情報に基づいて前記ユーザー装置と情報を交換するよう当該情報伝送装置を制御するよう構成された処理モジュールとを含む、
装置を提供する。
【００６１】
任意的に、前記処理モジュールはさらに、干渉強度を取得するよう構成され、前記干渉強度は、基地局の上りリンクまたは下りリンク伝送への近傍セル信号の干渉の度合いを示すために使われ；
前記処理モジュールが、前記干渉強度が、事前設定された干渉強度閾値より小さいことを判別するとき、前記送信モジュールがさらに、第一の構成情報を含むシステム情報を前記ユーザー装置に送るよう構成され、前記第一の構成情報は、固定下りリンクの時間‐周波数資源および固定上りリンクの時間‐周波数資源を示すために使われる。
【００６２】
任意的に、本装置はさらに受信モジュールを含み、
前記処理モジュールがさらに：あらかじめ定義された時間‐周波数資源位置において、近傍セルの干渉信号強度を測定し、該強度を前記干渉強度として使うよう構成される；または
前記受信モジュールが、前記ユーザー装置によって送られたチャネル状態測定レポートを受信するよう構成され、前記チャネル状態測定レポートは下りリンク伝送の信号対雑音比を含み、前記処理モジュールがさらに、前記下りリンク伝送の信号対雑音比に基づいて前記干渉強度を取得するよう構成される；または
前記受信モジュールが：前記ユーザー装置によって送られたチャネル探測参照信号を受信し、前記チャネル探測参照信号に基づいて上りリンク伝送チャネル品質を測定して前記干渉強度を取得するよう構成される。
【００６３】
この第八の側面において提供される情報伝送装置は具体的には基地局として実装されてもよく、前記受信モジュールは受信器として実装されてもよく、前記送信モジュールは送信器として実装されてもよく、前記処理モジュールはプロセッサとして実装されてもよく、前記基地局はプログラム・コードを記憶しうるメモリを含む。
【００６４】
ある具体的実装では、ユーザー装置または基地局はさらに、コンピュータ・プログラムおよびメモリを含んでいてもよい。コンピュータ・プログラムはメモリに記憶され、前記プロセッサはUEの上記の情報伝送方法を低電力モードで実行するよう前記コンピュータ・プログラムを実行する。前記メモリに記憶された、実行命令、つまり前記コンピュータ・プログラムを実行するよう構成された少なくとも一つのプロセッサがある。このようにして、前記ユーザー装置は、通信インターフェースを使うことによって前記基地局とデータを交換し、上記の諸側面の各実装において提供される情報伝送方法を実行する。任意的に、前記メモリはさらに、前記プロセッサに統合されてもよい。
【００６５】
本願の第九の側面は、可読な記憶媒体およびコンピュータ・プログラムを含む記憶媒体を提供し、前記コンピュータ・プログラムは前記第一の側面および前記第三の側面のいずれかにおいて提供される情報伝送方法を実装するために使われる。
【００６６】
本願の第十の側面は、可読な記憶媒体およびコンピュータ・プログラムを含む記憶媒体を提供し、前記コンピュータ・プログラムは前記第二の側面および前記第四の側面のいずれかにおいて提供される情報伝送方法を実装するために使われる。
【００６７】
本願の第十一の側面は、プログラム・プロダクトを提供し、前記プログラム・プロダクトはコンピュータ・プログラム（つまり、実行命令）を含み、前記コンピュータ・プログラムは可読な記憶媒体に記憶される。ユーザー装置の少なくとも一つのプロセッサが前記コンピュータ・プログラムを前記可読な記憶媒体から読んでもよく、前記少なくとも一つのプロセッサが前記コンピュータ・プログラムを実行し、それにより前記ユーザー装置が、前記第一の側面または前記第三の側面の各実装において提供される情報伝送方法を実装する。
【００６８】
本願の第十二の側面は、プログラム・プロダクトを提供し、前記プログラム・プロダクトはコンピュータ・プログラム（つまり、実行命令）を含み、前記コンピュータ・プログラムは可読な記憶媒体に記憶される。基地局の少なくとも一つのプロセッサが前記コンピュータ・プログラムを前記可読な記憶媒体から読んでもよく、前記少なくとも一つのプロセッサが前記コンピュータ・プログラムを実行し、それにより前記基地局が、前記第二の側面または前記第四の側面の各実装において提供される情報伝送方法を実装する。
【００６９】
本願において提供される情報伝送方法および装置によれば、基地局がシステム情報をユーザー装置に送り、前記システム情報は、固定下りリンクの時間‐周波数資源および固定上りリンクの時間‐周波数資源を示すために使われる第一の構成情報を含み、前記第一の構成情報に基づいて、ユーザー装置が、前記固定下りリンクの時間‐周波数資源で情報を取得するまたは前記固定上りリンクの時間‐周波数資源で搬送されるよう情報を構成する。基地局は、前記システム情報内の前記第一の構成情報を使って、固定した上りリンクおよび下りリンクの時間‐周波数資源を示すが、単位時間‐周波数資源の特定の型を示しはしない。その後、基地局は、情報伝送プロセスにおける各単位時間‐周波数資源の型を動的に構成してもよい。換言すれば、最小単位上りリンク／下りリンク時間‐周波数資源の動的な変更をサポートしてもよい。これは、上りリンク‐下りリンク・サービス比があらかじめ定義された上りリンク／下りリンク資源構成型にマッチしないときの時間‐周波数資源の無駄を回避する。基地局は、その後の伝送プロセスにおけるサービス状態に基づいて上りリンク‐下りリンクの時間‐周波数資源の比を動的に変更することができ、上りリンク‐下りリンク時間‐周波数資源比を構成するために前記システム情報を使う必要がない。これは、ユーザー装置の比較的低いアクセス遅延を保証し、時間‐周波数資源伝送型の迅速な構成を実装し、サービス品質を改善する。
【図面の簡単な説明】
【００７０】
【図１ａ】本願に基づく情報伝送方法の第一の実施形態のフローチャートである。
【００７１】
【図１ｂ】本願に基づく情報伝送方法における固定上りリンクの時間‐周波数資源および固定下りリンクの時間‐周波数資源の概略図である。
【００７２】
【図２ａ】四つのサブフレーム型の概略図である。
【００７３】
【図２ｂ】固定上りリンクの時間‐周波数資源／固定下りリンクの時間‐周波数資源が本願に従って位置されるサブフレームに対応するサブフレーム型の概略図である。
【００７４】
【図３】本願に基づく情報伝送方法の第二の実施形態のフローチャートである。
【００７５】
【図４ａ】本願に基づく情報伝送方法の第三の実施形態のフローチャートである。
【００７６】
【図４ｂ】本願に基づく情報伝送方法におけるサブフレーム型の概略図である。
【００７７】
【図５】本願に基づく情報伝送方法の第四の実施形態のフローチャートである。
【００７８】
【図６】本願に基づく情報伝送装置の第一の実施形態の概略的な構造図である。
【００７９】
【図７】本願に基づく情報伝送装置の第二の実施形態の概略的な構造図である。
【００８０】
【図８】本願に基づく情報伝送装置の第三の実施形態の概略的な構造図である。
【００８１】
【図９】本願に基づく情報伝送装置の第四の実施形態の概略的な構造図である。
【００８２】
【図１０】本願に基づくユーザー装置の第一の実施形態の概略的な構造図である。
【００８３】
【図１１】本願に基づく基地局の第一の実施形態の概略的な構造図である。
【発明を実施するための形態】
【００８４】
サービスが動的に変化することに関し、この解決策においては、サービスの動的な変化にマッチする完全な動的TDDシステムまたは半持続的TDDシステムが提案される。完全な動的TDDシステムとは、基地局が、無線資源制御（英文：Radio  Resource  Control、略RRC）信号伝達および／またはシステム情報および下りリンク制御情報を使うことによって、現在のスケジューリング単位の型をユーザー装置に通知することを意味する。ユーザー装置は、受信された下りリンク制御情報に基づいて、少なくとも一つの最小スケジューリング単位の型を決定する必要がある（ユーザー装置は、RRC信号伝達およびシステム情報だけを使ってすべてのサブフレーム型を決定することはできない）。半持続的TDDシステムとは、基地局が、RRC信号伝達および／またはシステム情報を使って現在のスケジューリング単位の型をユーザー装置に通知することを意味する。ユーザー装置は、受信されたRRC信号伝達および／またはシステム情報に基づいてスケジューリング単位の型を決定する。完全な動的TDDシステムは、最小スケジューリング単位の上りリンク時間‐周波数資源または下りリンク時間‐周波数資源の動的な変化をサポートしうる。半持続的なTDDシステムは、最小スケジューリング単位の上りリンク時間‐周波数資源および下りリンク時間‐周波数資源に対して複数回、異なる構成を直接実行してもよい。たとえば、最小の変更可能な単位はサブフレームであってもよい。最小のスケジューリング単位は、LTEでは一サブフレーム（subframe）と称される。5Gシステムのようなその後の進化したシステムでは、最小のスケジューリング単位はたとえばスロット（slot）を変えることがある。完全な動的な変化は、システム・アクセス・パフォーマンスを代償とすることはできない。たとえば、ユーザー装置が上りリンク・サービス要求情報を任意の時点において送りうるとき、完全な動的TDDシステムからのサポートが、アクセス時間を代償として得られることはできない。
【００８５】
本願において提供される情報伝送方法は、基地局およびユーザー装置に適用される。基地局は、上りリンク時間‐周波数資源および下りリンク時間‐周波数資源を動的に構成するために、ユーザー装置のアクセス・プロセスにおいて送られるシステム情報に構成情報を追加する。本願の技術的解決策において使われる基地局は、ユーザー装置を無線ネットワークに接続するための装置である。基地局は、進化型ノードB（英文：evolved  NodeB、略eNB）、無線ネットワーク・コントローラ（英文：radio  network  controller、略RNC）、ノードB（英文：NodeB、略NB）、基地局コントローラ（英文：Base  Station  Controller、略BSC）、ベーストランシーバーステーション（英文：Base  Transceiver  Station、略BTS）、家庭進化型ノードB（たとえばHome  evolved  NodeBまたはHome  NodeB、HNB）、ベースバンド・ユニット（英文：BaseBand  Unit、略BBU）、アクセスポイント（英文：Access  Point、略AP）などを含みうるが、それに限定されない。
【００８６】
ユーザー装置（英文：User  Equipment、UE）は端末装置と称されることもあり、ユーザーに音声および／またはデータ接続性を提供する装置であり、たとえば無線接続機能をもつハンドヘルド装置、携帯電話、車載装置、ウェアラブル装置、コンピューティング装置、移動局（英文：Mobile  Station、略MS）または無線モデムに接続された他の処理装置である。
【００８７】
図１ａは、本願に基づく情報伝送方法の第一の実施形態のフローチャートである。図１ａに示されるように、本情報伝送方法は、ユーザー装置と基地局との間で適用される。具体的な実装段階は次のとおり。
【００８８】
Ｓ１０１。ユーザー装置が、基地局によって送られたシステム情報を受信する。前記システム情報は、固定下りリンクの時間‐周波数資源および固定上りリンクの時間‐周波数資源を示すために使われる第一の構成情報を含む。
【００８９】
この段階において、基地局は第一の構成情報を含むシステム情報を取得して、該システム情報をユーザー装置に送る。第一の構成情報は、ユーザー装置に割り当てられる固定下りリンクの時間‐周波数資源および固定上りリンクの時間‐周波数資源を示す。固定上りリンクの時間‐周波数資源または固定下りリンクの時間‐周波数資源は、単位時間‐周波数資源の一つまたはいくつかのOFDMシンボルであり、固定上りリンクの時間‐周波数資源または固定下りリンクの時間‐周波数資源のOFDMシンボルの数は、単位時間‐周波数資源のOFDMシンボルの数より少ない。各単位時間‐周波数資源のOFDMシンボルの数は固定である。単位時間‐周波数資源は、一つまたは複数の最小スケジューリング単位でありうる。この解決策における第一の構成情報は、上りリンク伝送または下りリンク伝送のために専用に使われる固定した一つまたはいくつかのOFDMシンボルのみを限定するが、各時間‐周波数資源の型は限定しない。
【００９０】
たとえば、LTEでは、単位時間‐周波数資源はサブフレームであり、最小スケジューリング単位もサブフレームである。OFDMシンボルの固定数は、各サブフレームが14個のOFDMシンボルを含むことを意味する。第一の構成情報によって示される固定上りリンクの時間‐周波数資源または固定下りリンクの時間‐周波数資源は、サブフレームのn個のOFDMシンボルでありうる。ここで、nは12以下の正の整数である。
【００９１】
サブフレームが例として使われる。ユーザーによって受信される第一の構成情報は、サブフレームの最初の二つのシンボルが上りリンク伝送のために使われ、他のシンボルは限定されないことを示す。この場合、サブフレームの型は決定されない。サブフレームは上りリンク・サブフレーム、主な上りリンク・サブフレームまたは主な下りリンク・サブフレームでありえ、その後、要求に基づいて動的に構成されうる。
【００９２】
上記から、第一の構成情報がさらに、各単位時間‐周波数資源の型が限定されないことを示すために使われることがわかる。第一の構成情報は、各単位時間‐周波数資源の型が限定されないことを示す。つまり、第一の構成情報は、単位時間‐周波数資源の上りリンク／下りリンク型を示さない。上りリンク／下りリンク型は上りリンク・サブフレーム、下りリンク・サブフレーム、主な上りリンク・サブフレームおよび主な下りリンク・サブフレームを含みうる。換言すれば、各上りリンク／下りリンク型について、各OFDMシンボルが上りリンク・シンボル、下りリンク・シンボルまたは保護期間（guard  period、GP）シンボルであることがあらかじめ定義される。
【００９３】
さらに、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源（主な上りリンクまたは主な下りリンクと等価）を含む。
【００９４】
Ｓ１０２。第一の構成情報に基づいて、ユーザー装置は、固定下りリンクの時間‐周波数資源で情報を取得するまたは固定上りリンクの時間‐周波数資源で搬送されるよう情報を構成する。
【００９５】
この段階において、第一の構成情報を含むシステム情報を受信した後、ユーザー装置は、システム情報における固定下りリンクの時間‐周波数資源および固定上りリンクの時間‐周波数資源に基づいて、下りリンク情報伝送または上りリンク情報伝送を実行する必要がある。ユーザー装置の観点からは、基地局が固定下りリンクの時間‐周波数資源で情報（これはデータまたは信号でありうる）を送る場合、ユーザー装置は該情報を取得するために固定下りリンクの時間‐周波数資源上で検出を実行する必要がある；ユーザー装置が基地局に情報（これもデータまたは信号でありうる）を送る必要がある場合、ユーザー装置は、送られるべき情報に対して変調および符号化のような処理を実行して、情報を、送るために固定上りリンクの時間‐周波数資源上に構成してもよい。
【００９６】
Ｓ１０３。ユーザー装置は、固定下りリンクの時間‐周波数資源および／または固定上りリンクの時間‐周波数資源を使うことによって基地局と情報を交換する。
【００９７】
この解決策において、Ｓ１０３は任意的な段階である。ユーザー装置の観点からは、ユーザー装置は、固定上りリンクの時間‐周波数資源に基づいて基地局に情報を送る；および／またはユーザー装置は、基地局によって送られた情報を、固定下りリンクの時間‐周波数資源に基づいて受信する。基地局の観点からは、基地局は、固定上りリンクの時間‐周波数資源でユーザー装置によって送られた情報を受信する；および／または基地局は、固定下りリンクの時間‐周波数資源でユーザー装置に情報を送る。換言すれば、基地局とユーザー装置が情報を交換する。
【００９８】
上記の解決策では、無線フレームが例として使われる。システム情報は、無線フレームのいくつかのサブフレームの固定上りリンク／下りリンクの時間‐周波数資源を示す第一の構成情報を含む。固定上りリンクの時間‐周波数資源または固定下りリンクの時間‐周波数資源は、時間領域において少なくとも一つのOFDMシンボルを占める（固定上りリンクの時間‐周波数資源および固定下りリンクの時間‐周波数資源は諸サブフレームにおいて異なる位置に位置される）。一つまたはいくつかのOFDMシンボルだけが占有されるそのような仕方は、固定の時間‐周波数資源が位置するサブフレームの伝送方向（上りリンクまたは下りリンク）が動的に変化できることを保証し、上りリンク・データ送信スケジューリング要求の待機遅延が、上りリンク時間‐周波数資源をあらかじめ定義することによって、短縮される。たとえば、図１ｂは、本願に基づく情報伝送方法における固定上りリンクの時間‐周波数資源および固定下りリンクの時間‐周波数資源の概略図である。図１ｂに示されるように、無線フレームが例として使われ、無線フレームは10個のサブフレーム0ないし9を含む。第一の構成情報を使って固定した構成が実行された後、無線フレームにおける固定上りリンクの時間‐周波数資源および固定下りリンクの時間‐周波数資源がこの図に示されてもよい。固定の時間‐周波数資源に加えて、他の資源が、下りリンク制御情報に基づいて示されてもよい。図では、サブフレーム1ないし9において、固定下りリンクの時間‐周波数資源（サブフレーム5）および固定上りリンクの時間‐周波数資源（サブフレーム1,2,6,および7）として示されたサブフレームに加えて、他の時間領域資源が、上りリンク情報を伝送するために使われてもよく（上向き矢印）、あるいは下りリンク情報を伝送するために使われてもよく（下向き矢印）、特定のサブフレーム型は、その後の下りリンク制御情報において示されてもよい。
【００９９】
図１ｂでは、固定下りリンクの時間‐周波数資源は、サブフレームの最初の一つまたはいくつかのシンボルであり、固定上りリンクの時間‐周波数資源はサブフレームの最後の一つまたはいくつかのシンボルである。
【０１００】
ある任意的な実装では、固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。サブフレームが例として使われる。該実装の意味は、サブフレームの最初の一つまたはいくつかのシンボルが固定下りリンクの時間‐周波数資源として構成されてもよく、サブフレームの最後の一つまたはいくつかのシンボルが固定上りリンクの時間‐周波数資源として構成されてもよいということである。
【０１０１】
たとえば、現在のところ、無線フレームは10個のサブフレームを含み（サブフレーム番号は0ないし9）、各サブフレームは複数のOFDMシンボルを含む。第一の構成情報は、サブフレーム0が固定下りリンクの時間‐周波数資源を含み、サブフレーム5が固定上りリンクの時間‐周波数資源を含むことを示してもよい。具体的には、第一の構成情報は、サブフレーム0における固定下りリンクの時間‐周波数資源として構成されるシンボルが最初のOFDMシンボルであることを示してもよい。換言すれば、サブフレーム0については、最初のシンボルだけが下りリンク伝送のために使われる固定の資源であり、他のシンボルは限定されない。サブフレーム0の型は下りリンク・サブフレーム、主な上りリンク・サブフレームまたは主な下りリンク・サブフレームでありうる。サブフレーム5において固定上りリンクの時間‐周波数資源として構成されるシンボルが最後のOFDMシンボルであることが示されてもよい。換言すれば、サブフレーム5については、最後のシンボルだけが上りリンク伝送のために使われる固定の資源であり、他のシンボルは限定されない。サブフレーム5の型は上りリンク・サブフレーム、主な上りリンク・サブフレームまたは主な下りリンク・サブフレームでありうる。
【０１０２】
図２ａは、四つのサブフレーム型の概略図である。図２ａに示されるように、無線アクセス・システムにおいて、以下のいくつかのサブフレーム型が含まれる：上りリンク・サブフレーム（すなわち、上りリンク・サブフレーム）、下りリンク・サブフレーム（すなわち、下りリンク・サブフレーム）およびハイブリッド・サブフレーム、つまり主な上りリンク・サブフレームおよび主な下りリンク・サブフレーム。
【０１０３】
図２ｂは、固定上りリンクの時間‐周波数資源／固定下りリンクの時間‐周波数資源が本願に従って位置されるサブフレームに対応するサブフレーム型の概略図である。図２ｂに示されるように、サブフレームの開始位置において、下りリンク伝送のための少なくとも一つの固定のOFDMシンボルがある。サブフレームはここでも下りリンク・サブフレーム、主な下りリンク・サブフレームまたは主な上りリンク・サブフレームのうちの一つでありうる。固定上りリンクの時間‐周波数資源は時間領域において該固定上りリンクの時間‐周波数資源を含むサブフレームの末尾における少なくとも一つのOFDMシンボルなので、サブフレームはここでも上りリンク・サブフレーム、主な下りリンク・サブフレームまたは主な上りリンク・サブフレームのうちの一つでありうる。
【０１０４】
この実施形態において提供される情報伝送方法によれば、基地局は、システム情報における前記第一の構成情報を使うことによって、固定した上りリンクおよび下りリンクの時間‐周波数資源を示すが、単位時間‐周波数資源の特定の型を示しはしない。その後、基地局は、情報伝送プロセスにおいて、各単位時間‐周波数資源の型を動的に構成してもよい。換言すれば、最小単位の上りリンク／下りリンク時間‐周波数資源の動的な変更をサポートしてもよい。これは、上りリンク‐下りリンク・サービス比があらかじめ定義された上りリンク／下りリンク資源構成型にマッチしないときに引き起こされる時間‐周波数資源の無駄の問題を回避する。さらに、基地局は、サービス状態に基づいて上りリンク‐下りリンクの時間‐周波数資源の比を動的に変えることができ、上りリンク‐下りリンク時間‐周波数資源の比を構成するために前記システム情報を使う必要がない。これは、ユーザー装置の比較的低いアクセス遅延を保証し、時間‐周波数資源伝送型の迅速な構成を実装し、事実上、サービス品質を改善する。
【０１０５】
図３は、本願に基づく情報伝送方法の第二の実施形態のフローチャートである。上記の第一の実施形態に基づき、図３に示されるように、情報伝送方法はさらに以下の段階を含む。
【０１０６】
Ｓ２０１。ユーザー装置が、前記固定下りリンクの時間‐周波数資源で基地局によって送られた下りリンク制御情報を受信する。ここで、前記下りリンク制御情報は少なくとも一つの単位時間‐周波数資源の型を示すために使われる。
【０１０７】
この段階では、前記システム情報を使うことによって固定上りリンクの時間‐周波数資源および固定下りリンクの時間‐周波数資源を示した後に、基地局は、下りリンク制御情報を使うことによって単位時間‐周波数資源の型を示してもよい。
【０１０８】
Ｓ２０２。ユーザー装置が前記下りリンク制御情報に基づいて各単位時間‐周波数資源の型を決定する。
【０１０９】
Ｓ２０３。ユーザー装置が基地局と情報を交換する。
【０１１０】
サブフレームが例として使われる。前記システム情報を送った後、基地局は、少なくとも前記固定下りリンクの時間‐周波数資源の位置において前記下りリンク制御情報を送って、該固定下りリンクの時間‐周波数資源が位置しているサブフレームの型または別のサブフレームの型を示す、あるいはすべてのサブフレームのサブフレーム型を示す。
【０１１１】
この解決策では、下りリンク制御情報が位置しているサブフレームは、前記システム情報を送るために使われた少なくとも一つのサブフレームを含む。具体的には、前記少なくとも一つのサブフレームのサブフレーム型が、表２に示されるように、二ビットの情報を使うことによって示されてもよい。
【表２】
2019531039.tif 000022
【０１１２】
上記の表に示されるように、現在のサブフレームのサブフレーム型を示すために下りリンク制御情報が使われるとき、下りリンク制御情報に二ビットの情報が追加される必要がある。下りリンク制御情報が無線フレームのすべてのサブフレーム（10個）のサブフレーム型を示す場合は、20ビットの長さをもつシーケンスが必要とされ、二ビット毎に一つのサブフレームのサブフレーム型を示すために使われる。
【０１１３】
さらに、下りリンク制御情報はさらに、主な上りリンク／下りリンク・サブフレームにおける保護期間の位置および保護期間の長さを示すために使われる指示情報を含んでいてもよい。たとえば、時間領域における保護期間の開始位置と直近のサブフレーム境界との間のOFDMシンボルの数を示すために、三ビットの情報がさらに導入される。追加的な二ビットの情報が、保護期間によって占められるOFDMシンボルの数を示すよう構成される。
【０１１４】
単位時間‐周波数資源の型が決定された後、基地局は、前記少なくとも一つの単位時間‐周波数資源の型に基づいてユーザー装置と情報を交換する。
【０１１５】
Ｓ２０４。基地局が干渉強度を取得する。干渉強度は、基地局の上りリンクまたは下りリンク伝送への近傍セル信号の干渉の度合いを示すために使われる。
【０１１６】
この情報伝送プロセスにおいて、基地局は、基地局の上りリンク／下りリンク伝送における近傍セル信号の干渉をリアルタイムで取得し、該干渉強度を使って、現在の完全な動的なTDD様式または別の様式を使うことを続けるかどうかを決定する必要がある。具体的には、基地局が干渉強度を取得するためには、少なくとも下記のいくつかの様式がある。
【０１１７】
第一の様式では、ユーザー装置がチャネル状態測定レポートを基地局に送り、基地局がユーザー装置によって送られた該チャネル状態測定レポートを受信する。チャネル状態測定レポートは下りリンク信号の信号対雑音比を含む。基地局は、前記下りリンク信号の信号対雑音比に基づいて前記干渉強度を取得する。
【０１１８】
つまり、基地局が、現在のセルにおけるユーザー装置のチャネル測定をトリガーするまたは構成することによって、ユーザー装置によって送られたチャネル状態測定レポートを受け取り、次いで、該チャネル測定レポートに基づいて前記干渉強度を取得する。
【０１１９】
第二の様式では、基地局があらかじめ定義された時間‐周波数資源位置において、近傍セルの干渉信号強度を測定し、該強度を前記干渉強度として使う。つまり、基地局があらかじめ定義された時間‐周波数資源位置において、別のセルから送られた参照信号の信号強度を測定し、該信号強度を前記干渉強度として使う。
【０１２０】
第三の様式では、基地局が、ユーザー装置によって送られたチャネル探測参照信号を受信し、前記チャネル探測参照信号に基づいて上りリンク伝送チャネル品質を測定して前記干渉強度を取得する。
【０１２１】
つまり、基地局は、下りリンク制御情報を送ることおよびより上位層の信号伝達によって、ユーザー装置によって送られたチャネル探測参照信号を取得し、受信されたチャネル探測参照信号に基づいて現在セルの上りリンク・チャネル品質を測定して、前記干渉強度を得る。
【０１２２】
Ｓ２０５。前記干渉強度が、事前設定された干渉強度閾値より大きいときは、基地局は、第二の構成情報を含むシステム情報を前記ユーザー装置に送る。前記第二の構成情報は、各単位時間‐周波数資源の型を示すために使われる。
【０１２３】
この段階において、基地局は、得られた干渉強度を事前設定された干渉強度閾値と比較する。動的TDDシステム様式において干渉強度が閾値より大きい場合、基地局は、半持続的TDDシステム様式が使われる必要があることを判別し、第二の構成情報を含むシステム情報をユーザー装置に送る。第二の構成情報は、各単位時間‐周波数資源の型を示すために使われる。単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１２４】
Ｓ２０６。ユーザー装置は、各単位時間‐周波数資源の型に基づいて、基地局と情報を交換する。型は第二の構成情報によって示される。
【０１２５】
この段階では、各単位時間‐周波数資源の型が決定された後に、基地局は、信号およびデータの伝送を含め、単位時間‐周波数資源の型に基づいてユーザー装置と情報を交換する。
【０１２６】
上記の段階Ｓ２０４ないしＳ２０６は任意的な実行段階である。現在のシステムが動的TDDシステムとして構成された後には、システム型の切り換えが干渉強度に基づいて実行されることは要求されない。
【０１２７】
さらに、任意的に、干渉強度が閾値より小さいときは、基地局は、第一の構成情報を含むシステム情報を使って、ユーザー装置の固定上りリンクの時間‐周波数資源および固定下りリンクの時間‐周波数資源を示し、現在のシステムを動的TDDシステムに切り換えてもよい。動的TDDシステムでは、各サブフレームのサブフレーム型はシステム情報において限定されない。ユーザー装置は、その後受信される指示情報または制御情報に基づいて、現在のサブフレームのサブフレーム型を判別しうる。
【０１２８】
上記の実施形態のいずれにおいても、下りリンク制御情報を検出するためにユーザー装置によって使われる具体的な仕方は：前記システム情報を受信する前に、前記ユーザー装置によって、前記システム情報をスケジュールするための前記下りリンク制御情報を受信することを含む。該下りリンク制御情報は、無線フレームのすべてのサブフレームのサブフレーム型を含む。この様式は、システム情報受信後の長い時間内にユーザー装置がサブフレーム型を示す下りリンク制御情報を受信しないことを回避し、それによりユーザー装置がシステムにアクセスするための遅延を短縮する。
【０１２９】
任意的に、ユーザー装置がシステム情報を受信した後、本方法はさらに：ユーザー装置によって、上りリンク・スケジューリング要求情報を基地局に送ることを含む。換言すれば、ユーザー装置が上りリンク・データを送る必要があるとき、ユーザー装置は、固定上りリンクの時間‐周波数資源上の資源位置において上りリンク要求情報を送る必要がある。
【０１３０】
この解決策において提供される情報伝送方法は、上りリンク‐下りリンク・サービス比があらかじめ定義された上りリンク／下りリンク資源構成型にマッチしないときに引き起こされる時間‐周波数資源の無駄を回避するだけでなく、上りリンク／下りリンク時間‐周波数資源構成比の動的な調整をも実装し、それにより処理遅延を短縮するとともに、動的TDDシステムの柔軟性を保証する。さらに、動的TDDシステムと半持続的TDDシステムとの間の柔軟な切り換えに基づいて、システム負荷が比較的高いまたは干渉が比較的強いときは半持続的TDDシステムが使用され、それにより事実上、システム・パフォーマンスを保証する。
【０１３１】
図４ａは、本願に基づく情報伝送方法の第三の実施形態のフローチャートである。図４ａに示されるように、半持続的TDDシステムのための情報伝送方法がさらに提供される。具体的な実装段階は次のとおり。
【０１３２】
Ｓ３０１。ユーザー装置が、基地局によって送られたシステム情報を受信する。前記システム情報は、各単位時間‐周波数資源の型を示すために使われる第二の構成情報を含む。
【０１３３】
この段階において、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。基地局は、システム情報における第二の構成情報を使うことによって、各単位時間‐周波数資源の型を示す。換言すれば、単位時間‐周波数資源についての上りリンク‐下りリンク構成様式を決定する。
【０１３４】
無線フレームが例として使われる。固定した上りリンク／下りリンク構成をもつTDDシステムについて、システム情報はさらに、種々の上りリンク／下りリンク構成、つまりサブフレーム型を示す第二の構成情報を含む。たとえば、種々の構成型は、次の表３に従って示されてもよい。
【表３】
2019531039.tif 000023
【０１３５】
この構成型における{U*}および{D*}は、さらに示される必要のあるサブフレーム型を表わし、{D}および{S}は「背景」において記述された構成様式におけるサブフレーム型を表わす。
【０１３６】
構成型については、たとえば、構成2は{U*}および{D*}サブフレーム型を示すために使われる指示情報を含む必要がある。該指示情報は一つのビット・シーケンス{1  0  1  0  0  1であってもよい。{U*}サブフレームについては、{1}は現在のサブフレームが主な上りリンクのサブフレームであることを表わし、{0}は現在のサブフレームが上りリンクのサブフレームであることを表わす。{D*}サブフレームについては、{1}は現在のサブフレームが主な下りリンクのサブフレームであることを表わし、{0}は現在のサブフレームが下りリンクのサブフレームであることを表わす。
【０１３７】
さらに、システム情報はさらに、主な上りリンク／下りリンクのサブフレームにおける保護期間の位置および長さを示す情報を含む。たとえば、五ビットの情報が導入され、三ビットの情報が時間領域における保護期間の開始位置と直近のサブフレーム境界との間のOFDMシンボルの数を示すために使われ、残りの二ビットの情報が、保護期間によって占められるOFDMシンボルの数を示すために使われる。
【０１３８】
さらに、保護期間の構成情報は、主な上りリンク・サブフレームおよび／または主な下りリンク・サブフレームを構成するために使われてもよい。具体的には、システム情報は、主な上りリンク・サブフレームにおける保護期間の構成情報のみを含み、主な下りリンク・サブフレームにおける保護期間の構成情報は、主な上りリンク・サブフレームにおける保護期間の位置を参照することによって系統的に設計される。あるいはまた、システム情報は、主な上りリンク・サブフレームおよび主な下りリンク・サブフレームにおける保護期間の構成情報を含み、構成情報の各ピースは五ビットを占め、二つのサブフレームの保護期間の位置を構成するために全部で10ビットが使われる。
【０１３９】
Ｓ３０２。ユーザー装置が、第二の構成情報に基づいて基地局と情報を交換する。
【０１４０】
単位時間‐周波数資源の型を示すことが完了した後、上りリンク‐下りリンク・データおよび情報が、決定された型の単位時間‐周波数資源を使うことによって、基地局とユーザー装置の間で伝送されてもよい。
【０１４１】
この解決策において、サブフレームが例として使われる。基地局は、システム情報において、現在のシステムの各サブフレームのサブフレーム型を構成する。構成型は、異なる基地局および／または異なるオペレーターの間のネゴシエーション後に決定された結果である。異なる基地局の間で情報はX2インターフェースを使って伝送される。基地局は、近傍セルの構成状態に基づいて、現在のシステムについてすべてのサブフレーム型を決定する。
【０１４２】
図４ｂは、本願に基づく情報伝送方法におけるサブフレーム型の概略図である。図４ｂに示されるように、第二の構成情報によって示される各単位時間‐周波数資源の型が、あらかじめ定義された上りリンク‐下りリンクの時間‐周波数資源構成として使われる。該あらかじめ定義された構成は、図４ｂにおけるどの構成様式であってもよい（同様に、図４ｂでは、固定下りリンクの時間‐周波数資源はサブフレームの最初の一つまたはいくつかのシンボルであり、固定上りリンクの時間‐周波数資源はサブフレームの最後の一つまたはいくつかのシンボルである）。その後の情報伝送プロセスにおいて、基地局は、RRC信号伝達を使うことによって、各単位時間‐周波数資源の型を示しうる。たとえば、無線フレームが10個のサブフレームをもち、複数の上りリンク‐下りリンク構成組み合わせがあり、それは現在のLTEシステムにおける七つの組み合わせ型以上でありうる。
【０１４３】
現在のシステムがロングタームエボリューション（英文：Long  Term  Evolution、略LTE）システムと共存する場合、各サブフレームの構成型はLTEシステムにおける七つの構成型のうちの一つである（この解決策は、表４に示される七つの型に限定されない）。LTEにおける七つの構成型は表４に示されている。
【表４】
2019531039.tif 000024
【０１４４】
Dは下りリンク・サブフレームを表わし、Sは特別なサブフレームを表わし、Uは上りリンク・サブフレームを表わす。
【０１４５】
この実施形態において提供される情報伝送方法によれば、基地局は、第二の構成情報を含むシステム情報を使うことによってシステムを半持続的TDDシステムとして構成してもよい。これは、異なる基地局の間の干渉協調を容易にする。
【０１４６】
図５は、本願に基づく情報伝送方法の第四の実施形態のフローチャートである。図５に示されるように、システムが前記第三の実施形態において半持続的TDDシステムとして構成された後、情報伝送方法はさらに以下の段階を含む。
【０１４７】
Ｓ４０１。ユーザー装置が基地局にチャネル状態測定レポートを送る。チャネル状態測定レポートは、下りリンク信号の信号対雑音比を含む。
【０１４８】
Ｓ４０２。基地局が干渉強度を取得する。干渉強度は、基地局の上りリンクまたは下りリンク伝送への近傍セル信号の干渉の度合いを示すために使われる。
【０１４９】
この技術的解決策においては、情報伝送プロセスにおいて、基地局は、基地局の上りリンク／下りリンク伝送への近傍セル信号の干渉をリアルタイムで取得し、該干渉強度に基づいて、現在の半持続的TDD様式または別の様式を使うことを続けるかどうかを決定する必要がある。具体的には、基地局が干渉強度を取得するためには、少なくとも下記のいくつかの様式がある。
【０１５０】
第一の様式では、ユーザー装置がチャネル状態測定レポートを基地局に送り、基地局がユーザー装置によって送られた該チャネル状態測定レポートを受信する。チャネル状態測定レポートは下りリンク信号の信号対雑音比を含む。基地局は、前記下りリンク信号の信号対雑音比に基づいて前記干渉強度を取得する。
【０１５１】
つまり、基地局が、現在のセルにおけるユーザー装置のチャネル測定をトリガーするまたは構成することによって、ユーザー装置によって送られたチャネル状態測定レポートを受け取り、次いで、該チャネル測定レポートに基づいて前記干渉強度を取得する。
【０１５２】
第二の様式では、基地局があらかじめ定義された時間‐周波数資源位置において、近傍セルの干渉信号強度を測定し、該強度を前記干渉強度として使う。つまり、基地局があらかじめ定義された時間‐周波数資源位置において、別のセルから送られた参照信号の信号強度を測定し、該信号強度を前記干渉強度として使う。
【０１５３】
第三の様式では、基地局が、ユーザー装置によって送られたチャネル探測参照信号を受信し、前記チャネル探測参照信号に基づいて上りリンク伝送チャネル品質を測定して前記干渉強度を取得する。
【０１５４】
つまり、基地局は、下りリンク制御情報を送ることおよびより上位層の信号伝達によって、ユーザー装置によって送られたチャネル探測参照信号を取得し、受信されたチャネル探測参照信号に基づいて現在セルの上りリンク・チャネル品質を測定して、前記干渉強度を得る。
【０１５５】
Ｓ４０３。前記干渉強度が、事前設定された干渉強度閾値より小さいときは、基地局は、第一の構成情報を含むシステム情報を前記ユーザー装置に送る。前記第一の構成情報は、固定下りリンクの時間‐周波数資源および固定上りリンクの時間‐周波数資源を示すために使われる。
【０１５６】
この段階において、基地局は、得られた干渉強度を事前設定された干渉強度閾値と比較する。動的TDDシステム様式において干渉強度が閾値より小さい場合、基地局は、完全な動的TDDシステム様式が使われる必要があることを判別する。換言すれば、現在のサービスするセルを動的TDDシステムとして構成する。ある具体的実装は、第一の構成情報を含むシステム情報を使うことによって固定上りリンクの時間‐周波数資源および固定下りリンクの時間‐周波数資源を示すことである。動的TDDシステムでは、各単位時間‐周波数資源の型はシステム情報において限定されない。ユーザー装置は、現在の単位時間‐周波数資源（たとえばサブフレーム）の型を、受信された指示情報または下りリンク制御情報に基づいて決定する。
【０１５７】
Ｓ４０４。前記第一の構成情報に基づいて、ユーザー装置は、前記固定下りリンクの時間‐周波数資源で情報を取得するまたは前記固定上りリンクの時間‐周波数資源で搬送されるよう情報を構成する。
【０１５８】
前記第一の構成情報を含むシステム情報を受信した後、ユーザー装置は、システム情報における固定下りリンクの時間‐周波数資源および固定上りリンクの時間‐周波数資源に基づいて、下りリンク情報伝送または上りリンク情報伝送を実行する必要がある。ユーザー装置の観点からは、基地局が固定下りリンクの時間‐周波数資源で情報（これはデータまたは信号でありうる）を送る場合、ユーザー装置は該情報を取得するために固定下りリンクの時間‐周波数資源上で検出を実行する必要がある；ユーザー装置が基地局に情報（これもデータまたは信号でありうる）を送る必要がある場合、ユーザー装置は、送られるべき情報に対して変調および符号化のような処理を実行して、情報を、送るために固定上りリンクの時間‐周波数資源上に構成してもよい。
【０１５９】
現在のシステムが動的TDDシステムに切り換えられた後、単位時間‐周波数資源の型を決定するためおよび情報を伝送するための具体的な仕方については、上記の実施形態を参照されたい。同様に、信号の得られた干渉強度に基づいて基地局が半持続的TDDシステムを動的TDDシステムに切り換えるこの解決策も任意的な解決策であり、半持続的TDDシステムを実行しているプロセスにおける切り換えは必須ではない。
【０１６０】
さらに、動的TDDシステムにおいて、干渉強度が過度に高いときは、システムは、あらかじめ定義された上りリンク‐下りリンク時間‐周波数資源構成を再利用してもよい。
【０１６１】
この解決策は、動的TDDシステムの柔軟性を保証する。さらに、動的TDDシステムと半持続的TDDシステムとの間の柔軟な切り換えに基づいて、システム負荷が比較的高いまたは干渉が比較的強いときは半持続的TDDシステムが使用され、干渉が比較的弱いまたは負荷が比較的低いときは動的TDDシステムが使用される。これは事実上、システム・パフォーマンスを保証する。
【０１６２】
上記の解決策のいずれかに基づき、システム情報はさらに、現在のシステムが動的TDDシステムであるまたは半持続的TDDシステムであることを示すために使われるフィールド（field）を含んでいてもよい。具体的には、基地局は、システム情報に一ビットの情報を加える。この一ビットの情報は、システムが動的TDDシステムであるまたは固定した上りリンク‐下りリンク構成をもつTDDシステムであることを示すことを含む。
【０１６３】
本願において提供される動的TDDシステムおよび半持続的TDDシステムの間で切り換えが実行されてもよい。上記の実施形態における干渉強度に基づく切り換えは、単に一つの実装である。代替的に、切り換えは、システムのサービス負荷およびサービスされるユーザーの数といったパラメータに基づいて実行されてもよい。たとえば、サービスされるユーザーの数またはシステムのサービス負荷が事前設定された値より小さいとき、システムは半持続的TDDシステムから動的TDDシステムに切り換えられる；サービスされるユーザーの数またはシステムのサービス負荷が事前設定された値より小さくないとき、半持続的TDDシステムに戻る切り換えがされてもよい。これは本願において限定されない。
【０１６４】
図６は、本願に基づく情報伝送装置の第一の実施形態の概略的な構造図である。図６に示されるように、情報伝送装置１０は：
基地局によって送られたシステム情報を受信するよう構成された受信モジュール１１であって、前記システム情報は、固定下りリンクの時間‐周波数資源および固定上りリンクの時間‐周波数資源を示すために使われる第一の構成情報を含む、受信モジュールと；
前記第一の構成情報に基づいて、前記固定下りリンクの時間‐周波数資源で情報を取得するまたは前記固定上りリンクの時間‐周波数資源で搬送されるよう情報を構成するよう構成された処理モジュール１２とを含む。
【０１６５】
この実施形態において提供される情報伝送装置は、上記の技術的解決策のいずれかにおけるユーザー装置側の技術的解決策を実行するよう構成される。それらの実装原理および技術的効果は同様である。よって、ここで再び詳細を述べることはしない。
【０１６６】
上記の解決策に基づき、任意的に、受信モジュール１１によって受信される第一の構成情報はさらに、各単位時間‐周波数資源の型が限定されないことを示すために使われる。単位時間‐周波数資源は固定数のOFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１６７】
任意的に、上記の解決策に基づき、情報伝送装置１０はさらに送信モジュール１３を含み、
前記送信モジュール１３が、前記固定上りリンクの時間‐周波数資源に基づいて情報を前記基地局に送るよう構成される；および／または
前記受信モジュール１１が、前記基地局によって送られた情報を、前記固定下りリンクの時間‐周波数資源に基づいて、受信するようさらに構成される。
【０１６８】
任意的に、受信モジュール１１はさらに、前記固定下りリンクの時間‐周波数資源で前記基地局によって送られた下りリンク制御情報を受信するよう構成される。前記下りリンク制御情報は、少なくとも一つの単位時間‐周波数資源の型を示すために使われる。
【０１６９】
前記処理モジュール１２はさらに、前記下りリンク制御情報に基づいて各単位時間‐周波数資源の型を決定するよう構成される。
【０１７０】
前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１７１】
任意的に、前記受信モジュール１１によって受信される前記第一の構成情報によって示される固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【０１７２】
任意的に、前記受信モジュール１１はさらに、前記基地局によって送られた、第二の構成情報を含むシステム情報を受信するよう構成される。前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１７３】
任意的に、前記送信モジュール１３はさらに、チャネル状態測定レポートを前記基地局に送るよう構成される。前記チャネル状態測定レポートは下りリンク信号の信号対雑音比を含む。
【０１７４】
この実施形態において提供される情報伝送装置は、上記の技術的解決策のいずれかにおけるユーザー装置側の技術的解決策を実行するよう構成される。それらの実装原理および技術的効果は同様である。よって、ここで再び詳細を述べることはしない。
【０１７５】
図７は、本願に基づく情報伝送装置の第二の実施形態の概略的な構造図である。図７に示されるように、情報伝送装置２０は：
システム情報を取得するよう構成された処理モジュール２１であって、前記システム情報は、固定下りリンクの時間‐周波数資源および固定上りリンクの時間‐周波数資源を示すために使われる第一の構成情報を含む、処理モジュールと；
前記第一の構成情報に基づいて、ユーザー装置が、前記固定下りリンクの時間‐周波数資源で情報を取得するまたは前記固定上りリンクの時間‐周波数資源で搬送されるよう情報を構成するよう、前記システム情報をユーザー装置に送るよう構成された送信モジュール２２とを含む。
【０１７６】
任意的に、前記処理モジュール２１によって取得される前記第一の構成情報はさらに、各単位時間‐周波数資源の型が限定されないことを示すために使われる。単位時間‐周波数資源は固定数の直交周波数分割多重OFDMシンボルを含み、型は上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１７７】
この実施形態において提供される情報伝送装置は、上記の技術的解決策のいずれかにおける基地局側の技術的解決策を実行するよう構成される。それらの実装原理および技術的効果は同様である。よって、ここで再び詳細を述べることはしない。
【０１７８】
さらに、情報伝送装置２０はさらに受信モジュール２３を含み、
前記受信モジュール２３が、前記固定上りリンクの時間‐周波数資源で前記ユーザー装置によって送られた情報を受信するよう構成される；および／または
前記送信モジュール２２が、前記固定下りリンクの時間‐周波数資源で前記ユーザー装置に情報を送るようさらに構成される。
【０１７９】
任意的に、前記送信モジュール２２は、前記固定下りリンクの時間‐周波数資源で前記ユーザー装置に下りリンク制御情報を送るようさらに構成され、それにより、前記ユーザー装置が前記下りリンク制御情報に基づいて少なくとも一つの単位時間‐周波数資源の型を決定する。前記下りリンク制御情報は前記少なくとも一つの単位時間‐周波数資源の型を示すために使われ、前記単位時間‐周波数資源は固定数のOFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１８０】
任意的に、前記送信モジュール２２によって送られる固定下りリンクの時間‐周波数資源は、時間領域において単位時間‐周波数資源の開始位置から始まる少なくとも一つのOFDMシンボルであり、固定上りリンクの時間‐周波数資源は、時間領域において単位時間‐周波数資源の終了位置で終わる少なくとも一つのOFDMシンボルである。
【０１８１】
任意的に、前記処理モジュール２１はさらに、干渉強度を取得するよう構成される。前記干渉強度は、基地局の上りリンクまたは下りリンク伝送への近傍セル信号の干渉の度合いを示すために使われる。
【０１８２】
前記処理モジュール２１が前記干渉強度が、事前設定された干渉強度閾値より大きいことを判別するとき、前記送信モジュール２２はさらに、第二の構成情報を含むシステム情報を前記ユーザー装置に送るよう構成される。前記第二の構成情報は、各単位時間‐周波数資源の型を示すために使われ、単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む。
【０１８３】
任意的に、前記処理モジュール２１が具体的に：あらかじめ定義された時間‐周波数資源位置において、近傍セルの干渉信号強度を測定し、該強度を前記干渉強度として使うよう構成される；または
前記受信モジュール２３がさらに、前記ユーザー装置によって送られたチャネル状態測定レポートを受信するよう構成され、前記チャネル状態測定レポートは下りリンク信号の信号対雑音比を含み、前記処理モジュール２１がさらに、前記下りリンク信号の信号対雑音比に基づいて前記干渉強度を取得するよう構成される；または
前記受信モジュール２３がさらに：前記ユーザー装置によって送られたチャネル探測参照信号を受信し、前記チャネル探測参照信号に基づいて上りリンク伝送チャネル品質を測定して前記干渉強度を取得するよう構成される。
【０１８４】
この実施形態において提供される情報伝送装置は、上記の技術的解決策のいずれかにおける基地局側の技術的解決策を実行するよう構成される。それらの実装原理および技術的効果は同様である。よって、ここで再び詳細を述べることはしない。
【０１８５】
図８は、本願に基づく情報伝送装置の第三の実施形態の概略的な構造図である。図８に示されるように、情報伝送装置３０は：
基地局によって送られたシステム情報を受信するよう構成された受信モジュール３１であって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、受信モジュールと；
前記第二の構成情報に基づいて前記基地局と情報を交換するよう当該情報伝送装置を制御するよう構成された処理モジュール３２とを含む。
【０１８６】
任意的に、前記受信モジュール３１はさらに、前記基地局によって送られた、第一の構成情報を含むシステム情報を受信するよう構成される。前記第一の構成情報は、固定下りリンクの時間‐周波数資源および固定上りリンクの時間‐周波数資源を示すために使われる。
【０１８７】
前記処理モジュール３２はさらに、前記第一の構成情報に基づいて、前記固定下りリンクの時間‐周波数資源で情報を取得するまたは前記固定上りリンクの時間‐周波数資源で搬送されるよう情報を構成するよう構成される。
【０１８８】
この実施形態において提供される情報伝送装置は、上記の技術的解決策のいずれかにおけるユーザー装置側の技術的解決策を実行するよう構成される。それらの実装原理および技術的効果は同様である。よって、ここで再び詳細を述べることはしない。
【０１８９】
さらに、情報伝送装置３０はさらに：
チャネル状態測定レポートを前記基地局に送るよう構成された送信モジュール３３を含む。前記チャネル状態測定レポートは下りリンク信号の信号対雑音比を含む。
【０１９０】
この実施形態において提供される情報伝送装置は、上記の技術的解決策のいずれかにおけるユーザー装置側の技術的解決策を実行するよう構成される。それらの実装原理および技術的効果は同様である。よって、ここで再び詳細を述べることはしない。
【０１９１】
図９は、本願に基づく情報伝送装置の第四の実施形態の概略的な構造図である。図９に示されるように、情報伝送装置４０は：
ユーザー装置にシステム情報を送るよう構成された送信モジュール４１であって、前記システム情報は、各単位時間‐周波数資源の型を示すために使われる第二の構成情報を含み、前記単位時間‐周波数資源は固定数の直交周波数分割多重OFDMシンボルを含み、前記単位時間‐周波数資源の型は：上りリンク情報を送るために使われる単位時間‐周波数資源、下りリンク情報を受信するために使われる単位時間‐周波数資源または上りリンク情報を送り下りリンク情報を受信するために使われる単位時間‐周波数資源を含む、送信モジュールと；
前記第二の構成情報に基づいて前記ユーザー装置と情報を交換するよう当該情報伝送装置を制御するよう構成された処理モジュール４２とを含む。
【０１９２】
任意的に、前記処理モジュール４２はさらに、干渉強度を取得するよう構成される。前記干渉強度は、基地局の上りリンクまたは下りリンク伝送への近傍セル信号の干渉の度合いを示すために使われる。
【０１９３】
前記処理モジュール４２が、前記干渉強度が、事前設定された干渉強度閾値より小さいことを判別するとき、前記送信モジュールがさらに、第一の構成情報を含むシステム情報を前記ユーザー装置に送るよう構成される。前記第一の構成情報は、固定下りリンクの時間‐周波数資源および固定上りリンクの時間‐周波数資源を示すために使われる。
【０１９４】
この実施形態において提供される情報伝送装置は、上記の技術的解決策のいずれかにおける基地局側の技術的解決策を実行するよう構成される。それらの実装原理および技術的効果は同様である。よって、ここで再び詳細を述べることはしない。
【０１９５】
さらに、情報伝送装置４０はさらに受信モジュール４３を含み、
前記処理モジュール４２がさらに：あらかじめ定義された時間‐周波数資源位置において、近傍セルの干渉信号強度を測定し、該強度を前記干渉強度として使うよう構成される；または
前記受信モジュール４３が、前記ユーザー装置によって送られたチャネル状態測定レポートを受信するよう構成され、前記チャネル状態測定レポートは下りリンク伝送の信号対雑音比を含み、前記処理モジュール４２がさらに、前記下りリンク伝送の信号対雑音比に基づいて前記干渉強度を取得するよう構成される；または
前記受信モジュール４３が：前記ユーザー装置によって送られたチャネル探測参照信号を受信し、前記チャネル探測参照信号に基づいて上りリンク伝送チャネル品質を測定して前記干渉強度を取得するよう構成される。
【０１９６】
この実施形態において提供される情報伝送装置は、上記の技術的解決策のいずれかにおける基地局側の技術的解決策を実行するよう構成される。それらの実装原理および技術的効果は同様である。よって、ここで再び詳細を述べることはしない。
【０１９７】
図１０は、本願に基づくユーザー装置の第一の実施形態の概略的な構造図である。図１１は、本願に基づく基地局の第一の実施形態の概略的な構造図である。図１０および図１１に示されるように、本願のこれらの実施形態において、情報伝送装置がユーザー装置５０であるとき、受信モジュールは図１０の受信器５１によって実装されてもよく、処理モジュールは図１０に示されるプロセッサ５２によって実装されてもよく、送信モジュールは図１０に示される送信器５３によって実装されてもよい。情報伝送装置が基地局６０であるとき、処理モジュールは図１１に示されるプロセッサ６１によって実装されてもよく、送信モジュールは図１１に示される送信器６２によって実装されてもよく、受信モジュールは図１１に示される受信器６３によって実装されてもよい。
【０１９８】
ある具体的実装では、前記ユーザー装置または前記基地局はさらに、コンピュータ・プログラムおよびメモリを含んでいてもよい。前記コンピュータ・プログラムは前記メモリに記憶され、前記プロセッサはUEの上記の追跡処理方法を低電力モードで実行するよう前記コンピュータ・プログラムを実行する。前記メモリに記憶された、実行命令、つまり前記コンピュータ・プログラムを実行するよう構成された少なくとも一つのプロセッサがある。このようにして、前記ユーザー装置は、通信インターフェースを使うことによって前記基地局とデータを交換し、上記の諸側面の各実装において提供される情報伝送方法を実行する。任意的に、前記メモリはさらに、前記プロセッサに統合されてもよい。
【０１９９】
本願はさらに、可読な記憶媒体およびコンピュータ・プログラムを含む記憶媒体を提供する。前記コンピュータ・プログラムは上記の実施形態のいずれかにおいて提供されるユーザー装置側の情報伝送方法を実装するために使われる。
【０２００】
本願はさらに、可読な記憶媒体およびコンピュータ・プログラムを含む記憶媒体を提供する。前記コンピュータ・プログラムは上記の実施形態のいずれかにおいて提供される基地局側の情報伝送方法を実装するために使われる。
【０２０１】
本願はさらに、プログラム・プロダクトを提供する。前記プログラム・プロダクトはコンピュータ・プログラム（つまり、実行命令）を含み、前記コンピュータ・プログラムは可読な記憶媒体に記憶される。ユーザー装置の少なくとも一つのプロセッサが前記コンピュータ・プログラムを前記可読な記憶媒体から読んでもよく、前記少なくとも一つのプロセッサが前記コンピュータ・プログラムを実行し、それにより前記ユーザー装置が、上記の諸実装において提供される情報伝送方法を実装する。
【０２０２】
本願はさらに、プログラム・プロダクトを提供する。前記プログラム・プロダクトはコンピュータ・プログラム（つまり、実行命令）を含み、前記コンピュータ・プログラムは可読な記憶媒体に記憶される。基地局の少なくとも一つのプロセッサが前記コンピュータ・プログラムを前記可読な記憶媒体から読んでもよく、前記少なくとも一つのプロセッサが前記コンピュータ・プログラムを実行し、それにより前記基地局が、上記の諸実装において提供される情報伝送方法を実装する。
【０２０３】
さらに、上記のユーザー装置および基地局の実施形態において、プロセッサは中央処理ユニット（英文：Central  Processing  Unit、略CPU）であってもよく、あるいは別の汎用プロセッサ、デジタル信号プロセッサ（英文：Digital  Signal  Processor、略DSP）、特定用途向け集積回路（英文：Application-Specific  Integrated  Circuit、略ASIC）などであってもよいことが理解されるべきである。前記汎用プロセッサはマイクロプロセッサであってもよく、前記プロセッサは任意の通常のプロセッサなどであってもよい。本願の実施形態を参照して開示される方法の段階は、ハードウェア・プロセッサによって直接実行されてもよく、あるいは前記プロセッサにおけるハードウェアおよびソフトウェア・モジュールの組み合わせを使って実行されてもよい。
【０２０４】
当業者は、方法実施形態の段階の全部または一部が、関連するハードウェアに命令するプログラムによって実装されうることを理解しうる。プログラムは、コンピュータ可読メモリに記憶されてもよい。プログラムが実行されるとき、方法実施形態の段階が実行される。メモリ（記憶媒体）は：読み出し専用メモリ（英文：read-only  memory、略ROM）、RAM、フラッシュメモリ、ハードディスク、ソリッドステートディスク、磁気テープ（英文：magnetic  tape）、フロッピーディスク（英文：floppy  disk）、光ディスク（英文：optical  disc）およびそれらの任意の組み合わせを含む。
【０２０５】
最後に、上記の実施形態は、本願を限定するのではなく、単に本願の技術的解決策を記述するために意図されていることを注意しておくべきである。

【国際調査報告】
2019531039.tif 000025
2019531039.tif 000026
2019531039.tif 000027
2019531039.tif 000028